(57)【要約】  概して、ｘＳＳを使用するデバイスおよび方法が開示される。ＵＥは、各々がＫ×ＰＳＳサブキャリア間隔のサブキャリア間隔およびＰＳＳシンボル／Ｋの持続時間を備える（Ｎｒｅｐ）シンボルを持つｘＰＳＳを受信する。ＰＳＤサブキャリアは、ｘＰＳＳを囲み、ＺＣシーケンスは、ＤＣサブキャリア上の送信を回避すべく、パンクチャされる。ＺＣシーケンスがｘＰＳＳの占有ＢＷより小さい場合、ガードサブキャリアは、ｘＰＳＳとＰＳＤとを分離し、さもなければ、ＺＣシーケンス内の少なくとも１つの要素が、ｘＰＳＳシンボル生成のためにパンクチャされる。１または複数のｘＳＳＳおよびｘＳ‐ＳＣＨは、ｘＰＳＳの後に生じてよい。ｘＳＳは、各々が同一のｘＰＳＳおよび異なるｘＳＳＳ若しくはｘＳ‐ＳＣＨ、若しくは、異なるｘＰＳＳおよび同一のｘＳＳＳ若しくはｘＳ‐ＳＣＨを有する、全方向性であってよく、または、各々が異なるｘＰＳＳおよびｘＳＳＳ若しくはｘＳ‐ＳＣＨ若しくは同一のｘＰＳＳおよび異なるｘＳＳＳ若しくはｘＳ‐ＳＣＨを有するビームフォーミングであってよい。
2018520528.tif 000002
【特許請求の範囲】
【請求項１】
進化型ＮｏｄｅＢ（ｅＮＢ）と通信する送受信機と、
処理回路と、を備える、ユーザ機器（ＵＥ）の装置であって、
前記処理回路は、
前記送受信機が、プライマリ同期信号（ｘＰＳＳ）送信並びに前記ｘＰＳＳ送信後に、セカンダリ同期信号（ｘＳＳＳ）送信および同期チャネル（ｘＳ‐ＳＣＨ）送信のうちの１つを受信するように構成し、
物理レイヤセルＩＤを取得し且つ前記ｘＰＳＳ送信を使用して前記ｅＮＢとの同期を達成し、
前記ｅＮＢとの同期の達成後に、前記送受信機が、前記ｅＮＢと通信するように構成し、
前記ｘＰＳＳ送信は、
各々が、ＰＳＳサブキャリア間隔に、ある整数を掛け合わせたｘＰＳＳサブキャリア間隔と、ＰＳＳ持続時間を前記整数で割ったｘＰＳＳ持続時間と、を有する複数（Ｎｒｅｐ）のｘＰＳＳシンボル、および
非ｘＰＳＳシンボルによって分離されるｘＰＳＳシンボルのセットを有するインタリーブされた周波数分割多重接続（ＩＦＤＭＡ）構造、のうちの１つを有する、装置。
【請求項２】
前記ｘＰＳＳ送信は、
各々が、ＰＳＳシンボルのＰＳＳサブキャリア間隔のＫ倍のｘＰＳＳサブキャリア間隔と、前記ＰＳＳシンボルをＫで割ったＰＳＳ持続時間のｘＰＳＳ持続時間と、を有する複数（Ｎｒｅｐ）のｘＰＳＳシンボルであって、Ｎｒｅｐは１より大きい整数である、複数（Ｎｒｅｐ）のｘＰＳＳシンボル、および
時間ドメインにおいて、繰り返されるｘＰＳＳ送信シンボルを生成するＩＦＤＭＡ構造であって、前記ｘＰＳＳ送信シンボルは、周波数ドメインにおいてＫ個のサブキャリアおきにマッピングされ、残りのサブキャリアはゼロに設定され、Ｋ＝２Ｎ且つＮは１より大きい整数である、ＩＦＤＭＡ構造、
のうちの１つを有する、請求項１に記載の装置。
【請求項３】
前記ｘＰＳＳ送信は、最小システム帯域幅より小さい帯域幅を有し、
前記ｘＰＳＳ送信を形成するＺａｄｏｆｆ‐Ｃｈｕ（ＺＣ）シーケンスの巡回拡大が、前記ｘＰＳＳ送信の一端に配置され、
前記ＺＣシーケンスの要素が、前記ｘＰＳＳ送信の中心に配置される直流サブキャリア上の送信を回避すべく、パンクチャされる、請求項１に記載の装置。
【請求項４】
前記ｘＰＳＳ送信は、最小システム帯域幅より小さい帯域幅を有し、
前記最小システム帯域幅内で、パワースペクトル密度（ＰＳＤ）サブキャリアが、前記ｘＰＳＳ送信のＰＳＤブースティングサラウンドサブキャリアのために使用され、
前記ｘＰＳＳ送信を形成するＺａｄｏｆｆ‐Ｃｈｕ（ＺＣ）シーケンスの長さ（ＮＺＣ）が、前記ｘＰＳＳ送信の占有帯域幅内のサブキャリア合計数（ＮＰＳＳ）より小さく、
前記ｘＰＳＳ送信と前記ＰＳＤサブキャリアとの間に配置されるガードサブキャリアは、前記ＰＳＤサブキャリアと前記ｘＰＳＳ送信との間で未使用のままにされる、請求項１または２に記載の装置。
【請求項５】
前記ｘＰＳＳ送信は、最小システム帯域幅より小さい帯域幅を有し、
前記最小システム帯域幅内で、パワースペクトル密度（ＰＳＤ）サブキャリアが、前記ｘＰＳＳ送信のＰＳＤブースティングサラウンドサブキャリアのために使用され、
前記ｘＰＳＳ送信を形成するＺａｄｏｆｆ‐Ｃｈｕ（ＺＣ）シーケンスの巡回拡大が、前記ｘＰＳＳ送信の一端に配置され、
前記ＺＣシーケンスの長さ（ＮＺＣ）が、前記ｘＰＳＳ送信の占有帯域幅内のサブキャリア合計数（ＮＰＳＳ）より小さく、
前記ｘＰＳＳ送信と前記ＰＳＤサブキャリアとの間に配置されるガードサブキャリアは、前記ＰＳＤサブキャリアと前記ｘＰＳＳ送信との間で未使用のままにされる、請求項１または２に記載の装置。
【請求項６】
前記ｘＰＳＳ送信は、最小システム帯域幅より小さい帯域幅を有し、
前記最小システム帯域幅内で、パワースペクトル密度（ＰＳＤ）サブキャリアが、前記ｘＰＳＳ送信のＰＳＤブースティングサラウンドサブキャリアのために使用され、
Ｚａｄｏｆｆ‐Ｃｈｕ（ＺＣ）シーケンスの長さ（ＮＺＣ）が、少なくとも、前記ｘＰＳＳ送信の占有帯域幅内のサブキャリア合計数（ＮＰＳＳ）であり、
前記ＺＣシーケンスの少なくとも１つの要素が、ｘＰＳＳ送信シンボル生成のためにパンクチャされ、
前記ＺＣシーケンスの要素が、前記ｘＰＳＳ送信の中心に配置される直流サブキャリア上の送信を回避すべく、パンクチャされる、請求項１または２に記載の装置。
【請求項７】
前記ｘＰＳＳ送信は、最小システム帯域幅より小さい帯域幅を有する、
サイクリックプレフィックス（ＣＰ）が、前記ｘＰＳＳシンボルのうちの第１のシンボルに配置され、前記ｘＰＳＳ送信内の残りのｘＰＳＳ送信シンボルは、前記ＣＰを含んでおらず、前記ＣＰの長さは、前記ｘＰＳＳ持続時間、前記ｘＰＳＳ送信の全持続時間並びに拡張ＣＰおよび標準ＣＰのどちらが使用されるかに基づく、
ＣＰが、前記ｘＰＳＳシンボルの各々に配置され、前記ＣＰの長さは、前記ｘＰＳＳ持続時間、前記ｘＰＳＳ送信の全持続時間並びに拡張ＣＰおよび標準ＣＰのどちらが使用されるかに基づく
のうちの１つである、請求項１または２に記載の装置。
【請求項８】
前記処理回路は、さらに、
前記送受信機が、ＵＥ固有の専用無線リソース制御（ＲＲＣ）シグナリングを介して、プライマリセル（Ｐｃｅｌｌ）から、前記ｘＰＳＳ送信に関する情報を受信するように構成し、
前記情報は、前記ｘＰＳＳ送信が、ビームフォーミングされるｘＰＳＳ送信または繰り返されるｘＰＳＳ送信の１つであるかどうかの指標、パワースペクトル密度（ＰＳＤ）ブースティングが前記ｘＰＳＳ送信に使用されているかどうかの指標、サイクリックプレフィックス（ＣＰ）が前記ｘＰＳＳ送信に使用されるかどうかの指標、および前記ＣＰのタイプ、並びに前記ｘＰＳＳ送信の周期性、アグリゲーションレベル（Ｋ）および繰り返しレベル、のうちの少なくとも１つを含む、請求項１または２に記載の装置。
【請求項９】
前記処理回路は、さらに、
前記送受信機が、複数のｘＰＳＳ送信並びに前記ｘＰＳＳ送信の後、ｘＳＳＳ送信およびｘＳ‐ＳＣＨ送信のうちの１つを連続的に受信するように構成する、請求項１または２に記載の装置。
【請求項１０】
前記処理回路は、さらに、
前記送受信機が、複数の連続的な同期インスタンスを受信するように構成し、
各同期インスタンスは、ｘＰＳＳ送信およびセカンダリ同期信号（ｘＳＳＳ）送信を有し、同期チャネル（ｘＳ‐ＳＣＨ）送信を有していない、請求項１または２に記載の装置。
【請求項１１】
同期インスタンスは、
全方向性信号、および
ビームフォーミングされる信号、のうちの１つを有し、
前記全方向性信号の各々は、
同一のｘＰＳＳ送信並びにｘＳＳＳ送信およびｘＳ‐ＳＣＨ送信のうちの異なるもの、および
異なるｘＰＳＳ送信並びにｘＳＳＳ送信およびｘＳ‐ＳＣＨ送信のうちの同一のもの、
のうちの１つを含み、
前記ビームフォーミングされる信号の各々は、
同一のｘＰＳＳ送信並びにｘＳＳＳ送信およびｘＳ‐ＳＣＨ送信のうちの異なるもの、
異なるｘＰＳＳ送信並びにｘＳＳＳ送信およびｘＳ‐ＳＣＨ送信のうちの異なるもの、
のうちの１つを含む、請求項９に記載の装置。
【請求項１２】
少なくとも部分的な物理セル情報が、前記ｘＳＳＳ送信および前記ｘＳ‐ＳＣＨ送信のうちの前記１つのために用いられるシーケンスに埋め込まれ、
前記処理回路は、さらに、前記シーケンスを正確に判断することによって、前記少なくとも部分的な物理セル情報を抽出する、請求項１または２に記載の装置。
【請求項１３】
前記ｘＰＳＳ送信並びにセカンダリ同期信号（ｘＳＳＳ）送信および同期チャネル（ｘＳ‐ＳＣＨ）送信のうちの少なくとも前記１つは、周波数分割多重（ＦＤＭ）方式、時分割多重（ＴＤＭ）方式および符号分割多重（ＣＤＭ）方式のうちの１つで多重化される、請求項１または２に記載の装置。
【請求項１４】
前記送受信機と前記ｅＮＢとの間の通信を供給するアンテナをさらに備える、請求項１または２に記載の装置。
【請求項１５】
ユーザ機器（ＵＥ）と通信するためのインタフェースと、
処理回路と、を備える、進化型ＮｏｄｅＢ（ｅＮＢ）の装置であって、
前記処理回路は、前記ｅＮＢによってサービングされる複数のセルの各セルのために、
送受信機が、前記セルのサブフレーム内で、複数のプライマリ同期信号（ｘＰＳＳ）送信並びに前記ｘＰＳＳ送信後に、セカンダリ同期信号（ｘＳＳＳ）送信および同期チャネル（ｘＳ‐ＳＣＨ）送信のうちの１つを送信するように構成し、各ｘＰＳＳ送信は、全方向性ｘＰＳＳ送信およびビームフォーミングされるｘＰＳＳ送信のうちの１つを有しており、
前記送受信機が、前記ｘＰＳＳ送信の送信後に、前記ＵＥと通信するように構成する、装置。
【請求項１６】
前記処理回路は、さらに、
前記送受信機が、前記サブフレーム内で、複数の全方向性同期信号（ｘＳＳ）送信およびビームフォーミングされるｘＳＳ送信を送信するように構成し、
各全方向性ｘＳＳ送信は、
同一のｘＰＳＳ送信並びにｘＳＳＳ送信およびｘＳ‐ＳＣＨ送信のうちの異なるもの、および
異なるｘＰＳＳ送信並びにｘＳＳＳ送信およびｘＳ‐ＳＣＨ送信のうちの同一のもの、
のうちの１つを有し、
ビームフォーミングされる信号の各々は、
同一のｘＰＳＳ送信並びにｘＳＳＳ送信およびｘＳ‐ＳＣＨ送信のうちの異なるもの、および
異なるｘＰＳＳ送信並びにｘＳＳＳ送信およびｘＳ‐ＳＣＨ送信のうちの異なるものであって、ここにおいて、異なるｘＰＳＳコードのうちの１つおよびシーケンスが、異なるビームフォーミングインデックスを表わす、もの、
のうちの１つを有する、請求項１５に記載の装置。
【請求項１７】
前記処理回路は、さらに、
少なくとも部分的な物理セル情報を、前記ｘＳＳＳ送信および前記ｘＳ‐ＳＣＨ送信のうちの前記１つのために用いられるシーケンスに埋め込む、請求項１５または１６に記載の装置。
【請求項１８】
前記処理回路は、さらに、
前記ｘＰＳＳ送信並びにセカンダリ同期信号（ｘＳＳＳ）送信および同期チャネル（ｘＳ‐ＳＣＨ）送信のうちの少なくとも１つを、周波数分割多重（ＦＤＭ）、時分割多重（ＴＤＭ）および符号分割多重（ＣＤＭ）のうちの１つを用いて多重化する、請求項１５または１６に記載の装置。
【請求項１９】
同期チャネル（ｘＳ‐ＳＣＨ）送信は、物理セル識別情報、ビームフォーミングインデックス、時間インデックス関数、システム帯域幅、システムフレーム番号、ＴＤＤ構成情報、システム情報ブロック（ＳＩＢ１）のスケジューリング情報のための情報を含み、
前記処理回路は、さらに、
前記ｘＳ‐ＳＣＨ送信のペイロードの後に、８、１６および２４ビットのうちの１つを有する巡回冗長検査（ＣＲＣ）を付加し、
前記ｘＳ‐ＳＣＨ送信のチャネルコーディングにおいて、テールバイティング畳み込み符号（ＴＢＣＣ）およびターボ符号（ＴＣ）のうちの１つを使用し、
前記チャネルコーディング後に、レートマッチングを実行して、前記ｘＳ‐ＳＣＨに割り当てられる利用可能なリソースエレメントを埋め、
前記チャネルコーディングおよびレートマッチングの実行後に、前記ｘＳ‐ＳＣＨ送信をスクランブリングし、
前記ｘＰＳＳ送信で搬送される物理セルＩＤの関数に基づいて、スクランブリングシーケンスを初期化する、請求項１５または１６に記載の装置。
【請求項２０】
前記処理回路は、さらに、
前記送受信機が、前記セル内のロード状態に基づいて、各セル内の前記ｘＰＳＳ送信並びにセカンダリ同期信号（ｘＳＳＳ）送信および同期チャネル（ｘＳ‐ＳＣＨ）送信のうちの少なくとも１つのためのオン／オフパターンを動的に調整するように構成する、請求項１５または１６に記載の装置。
【請求項２１】
前記処理回路は、さらに、
前記送受信機が、
異なるセル内の前記ｘＰＳＳ送信並びに前記ｘＳＳＳ送信および前記ｘＳ‐ＳＣＨ送信のうちの少なくとも１つが異なっており且つ同時に送信される、完全にロードされた同期信号およびチャネル送信、および
異なるセル内の前記ｘＰＳＳ送信並びに前記ｘＳＳＳ送信および前記ｘＳ‐ＳＣＨ送信のうちの前記少なくとも１つが同一であり且つ非重複時間において送信される、便宜的同期信号およびチャネル送信、
のうちの少なくとも１つを送信するように構成する、請求項１５または１６に記載の装置。
【請求項２２】
各ｘＰＳＳ送信は、最小システム帯域幅より小さい帯域幅と、ｘＰＳＳ送信構造と、を有し、前記ｘＰＳＳ送信構造は、各々がＰＳＳシンボルのＰＳＳサブキャリア間隔のＫ倍のｘＰＳＳサブキャリア間隔と、前記ＰＳＳシンボルをＫで割ったＰＳＳ持続時間のｘＰＳＳ持続時間と、を有する複数（Ｎｒｅｐ）のｘＰＳＳシンボルを有し、ここで、Ｎｒｅｐは１より大きい整数であり、
前記最小システム帯域幅内で、パワースペクトル密度（ＰＳＤ）サブキャリアが、前記ｘＰＳＳ送信のＰＳＤブースティングサラウンドサブキャリアのために使用され、ＺＣシーケンスの要素が、前記ｘＰＳＳ送信の中心に配置される直流サブキャリア上の送信を回避すべく、パンクチャされる、請求項１５または１６に記載の装置。
【請求項２３】
ａ）前記ｘＰＳＳ送信を形成するＺａｄｏｆｆ‐Ｃｈｕ（ＺＣ）シーケンスの長さ（ＮＺＣ）が、前記ｘＰＳＳ送信の占有帯域幅内のサブキャリア合計数（ＮＰＳＳ）より小さく、且つ
前記ｘＰＳＳ送信と前記ＰＳＤサブキャリアとの間に配置されるガードサブキャリアは、前記ＰＳＤサブキャリアと前記ｘＰＳＳ送信との間で未使用のままにされ、巡回拡大を搬送する、および
ｂ）前記ＺＣシーケンスの長さ（ＮＺＣ）が、少なくとも、前記ｘＰＳＳ送信の前記占有帯域幅内のサブキャリア合計数（ＮＰＳＳ）であり、且つ
前記ＺＣシーケンス内の少なくとも１つの要素が、ｘＰＳＳ送信シンボル生成のためにパンクチャされる、
のうちの一方である、請求項２２に記載の装置。
【請求項２４】
進化型ＮｏｄｅＢ（ｅＮＢ）と通信するためのユーザ機器（ＵＥ）の１または複数のプロセッサによって実行される命令を格納するコンピュータ可読記録媒体であって、
前記１または複数のプロセッサは、前記ＵＥが、
プライマリ同期信号（ｘＰＳＳ）送信並びにセカンダリ同期信号（ｘＳＳＳ）送信および同期チャネル（ｘＳ‐ＳＣＨ）送信のうちの少なくとも１つを受信し、
物理レイヤセルＩＤを取得し且つ前記ｘＰＳＳ送信並びに前記ｘＳＳＳ送信および前記ｘＳ‐ＳＣＨ送信のうちの前記少なくとも１つを用いて、前記ｅＮＢとの同期を達成し、
前記ｅＮＢとの同期が達成された後、前記ｅＮＢと通信する、
ように構成し、
前記ｘＰＳＳ送信は、各々が、ＰＳＳシンボルのＰＳＳサブキャリア間隔のＫ倍のｘＰＳＳサブキャリア間隔と、前記ＰＳＳシンボルをＫで割ったＰＳＳ持続時間のｘＰＳＳ送信持続時間と、を有する複数（Ｎｒｅｐ）のｘＰＳＳシンボルを有する繰り返される構造を有するｘＰＳＳ構造を有し、ここで、Ｎｒｅｐは１より大きい整数である、コンピュータ可読記録媒体。
【請求項２５】
各ｘＰＳＳ送信は、最小システム帯域幅より小さい帯域幅を有し、パワースペクトル密度（ＰＳＤ）サブキャリアが、前記ｘＰＳＳ送信のＰＳＤブースティングサラウンドサブキャリアのために使用され、
Ｚａｄｏｆｆ‐Ｃｈｕ（ＺＣ）シーケンスの要素が、前記ｘＰＳＳ送信の中心に配置される直流サブキャリア上の送信を回避すべく、パンクチャされ、並びに
ａ）前記ｘＰＳＳ送信を形成するＺａｄｏｆｆ‐Ｃｈｕ（ＺＣ）シーケンスの長さ（ＮＺＣ）が、前記ｘＰＳＳ送信の占有帯域幅内のサブキャリア合計数（ＮＰＳＳ）より小さく、且つ
前記ｘＰＳＳ送信と前記ＰＳＤサブキャリアとの間に配置されるガードサブキャリアが、前記ＰＳＤサブキャリアと前記ｘＰＳＳ送信との間で未使用のままにされ、巡回拡大を搬送する、
ｂ）前記ＺＣシーケンスの長さ（ＮＺＣ）が、少なくとも、前記ｘＰＳＳ送信の前記占有帯域幅内の前記サブキャリア合計数（ＮＰＳＳ）であり、且つ
前記ＺＣシーケンス内の少なくとも１つの要素が、ｘＰＳＳ送信シンボル生成のためにパンクチャされる、
のうちの一方である、請求項２４に記載のコンピュータ可読記録媒体。
【発明の詳細な説明】
【技術分野】
【０００１】
［優先権の主張］
本願は、２０１５年５月８日に出願された米国仮特許出願第６２／１５９，０５９号（発明の名称「プライマリ同期信号設計」）および２０１５年５月１９日に出願された米国仮特許出願第６２／１６３，６９６号（発明の名称「構成可能な同期信号およびチャネル設計」）に基づく優先権の利益を主張し、両出願は参照により本明細書にそれらの全体が組み込まれる。
【０００２】
複数の実施形態は、無線アクセスネットワークに関する。いくつかの実施形態は、第３世代パートナーシッププロジェクトロングタームエボリューション（３ＧＰＰ  ＬＴＥ）ネットワークおよびＬＴＥアドバンスト（ＬＴＥ‐Ａ）ネットワークおよび第４世代（４Ｇ）ネットワークおよび第５世代（５Ｇ）ネットワークを含むセルラネットワークにおけるユーザ機器（ＵＥ）の同期に関する。特に、いくつかの実施形態は、５Ｇネットワークにおける、プライマリ同期信号（ｘＰＳＳ）およびセカンダリ同期信号（ｘＳＳＳ）およびセカンダリ‐同期チャネル（ｘＳ‐ＳＣＨ）を含む同期信号に関する。
【背景技術】
【０００３】
ネットワーク上でサーバおよび他のコンピューティングデバイスと通信する異なるタイプのデバイスが増えるにつれ、３ＧＰＰ  ＬＴＥシステムの使用が増加している。特に、ＵＥの数および複雑さが増すにつれ、ユーザは、拡張機能並びに、中でもテレフォニ、メッセージングサービスおよびビデオストリーミング等の強化された種々のサービスおよびアプリケーションを要求してきた。しかしながら、次世代システムは、異なるサービスおよびアプリケーションによりもたらされる、非常に様々な、場合によっては競合する性能制約を満たすことを目的とする可能性がある。非常に多様な要件に対処すべく、次世代テクノロジは、将来性のある追加的な新しい無線アクセス技術（ＲＡＴ）と共に３ＧＰＰ  ＬＴＥアドバンストに基づいて発展する可能性がある。
【０００４】
４Ｇおよび５Ｇ  ＬＴＥシステムの設計に関する多数の課題の中で、ＵＥとネットワークとの同期が有効である。この目的のために、ネットワークリソースにアクセスするＵＥのタイプの増加につれ、また様々な目的のために、次世代ネットワークにおける同期信号に対する柔軟性をもたらすことが望ましいだろう。
【図面の簡単な説明】
【０００５】
以下の図は、必ずしも正確な縮尺通り示されていないが、同様の参照符号が、異なるビューにおける類似のコンポーネントを示すことがある。異なる添え字を有する同様の参照符号は、類似のコンポーネントの異なる例を表わすことがある。図は概して、本明細書に記載の様々な実施形態を限定ではなく例示として示している。
【０００６】
【図１】いくつかの実施形態による無線ネットワークの機能図である。
【０００７】
【図２】いくつかの実施形態による通信デバイスのコンポーネントを示す。
【０００８】
【図３】いくつかの実施形態による通信デバイスのブロック図を示す。
【０００９】
【図４】いくつかの実施形態による通信デバイスの別のブロック図を示す。
【００１０】
【図５】いくつかの実施形態によるプライマリ同期信号を含むシステム帯域幅を示す。
【００１１】
【図６】いくつかの実施形態によるプライマリ同期信号を示す。
【００１２】
【図７】いくつかの実施形態による完全にロードされた同期信号およびチャネルを示す。
【００１３】
【図８】いくつかの実施形態による、同期信号およびチャネル送信を示す。
【００１４】
【図９】いくつかの実施形態による同期のフローチャートを示す。
【発明を実施するための形態】
【００１５】
以下の詳細な説明および図は、当業者が実施形態を実施できるように、具体的な実施形態について十分示している。他の実施形態は、構造的、論理的、電気的、プロセス的な変更および他の変更を組み込んでよい。いくつかの実施形態に係る部分および特徴が、他の実施形態のそれらに含まれてよく、または、それらに代替してよい。特許請求の範囲に記載の実施形態は、当該特許請求の範囲に係るすべての利用可能な均等内容を包含する。
【００１６】
図１は、いくつかの実施形態による、ネットワークの様々なコンポーネントを備えたロングタームエボリューション（ＬＴＥ）ネットワークのエンドツーエンドネットワークアーキテクチャの一部の例を示す。本明細書で使用されるＬＴＥネットワークとは、ＬＴＥネットワークおよびＬＴＥアドバンスト（ＬＴＥ‐Ａ）ネットワークの両方に加え、開発されるべき他のバージョンのＬＴＥネットワークを指す。ネットワーク１００は、Ｓ１インタフェース１１５を介して共に連結された、無線アクセスネットワーク（ＲＡＮ）（例えば、図示の通り、Ｅ‐ＵＴＲＡＮ、すなわち進化型ユニバーサル地上波無線アクセスネットワークネットワーク）１０１およびコアネットワーク１２０（例えば、進化型パケットコア（ＥＰＣ）として図示）を含んでよい。便宜上および簡潔さのために、当該例においては、コアネットワーク１２０およびＲＡＮ１０１の一部のみが示されている。
【００１７】
コアネットワーク１２０は、モビリティ管理エンティティ（ＭＭＥ）１２２、サービングゲートウェイ（サービングＧＷ）１２４、およびパケットデータネットワークゲートウェイ（ＰＤＮ  ＧＷ）１２６を含んでよい。ＲＡＮ１０１は、ユーザ機器（ＵＥ）１０２と通信するための進化型ノードＢ（ｅＮＢ）１０４（基地局として動作してよい）を含んでよい。ｅＮＢ１０４には、マクロｅＮＢ１０４ａおよび低電力（ＬＰ）ｅＮＢ１０４ｂが含まれてよい。ｅＮＢ１０４およびＵＥ１０２は、本明細書で説明される同期技術を使用してよい。
【００１８】
ＭＭＥ１２２は、レガシのサービングＧＰＲＳサポートノード（ＳＧＳＮ）の制御プレーンと機能において類似してよい。ＭＭＥ１２２は、ゲートウェイ選択およびトラッキングエリアリスト管理等のアクセスにおけるモビリティ側面を管理してよい。サービングＧＷ１２４は、ＲＡＮ１０１に向かうインタフェースを終端してよく、ＲＡＮ１０１とコアネットワーク１２０との間でデータパケットをルーティングしてよい。また、サービングＧＷ１２４は、ｅＮＢ間ハンドオーバのためのローカルモビリティアンカーポイントであってよく、また、３ＧＰＰ間モビリティのためのアンカも提供してよい。他の役割としては、合法的傍受、課金および何らかのポリシー施行が含まれてよい。サービングＧＷ１２４およびＭＭＥ１２２は、１つの物理ノードまたは別個の物理ノードに実装されてよい。
【００１９】
ＰＤＮ  ＧＷ１２６は、パケットデータネットワーク（ＰＤＮ）に向かうＳＧｉインタフェースを終端してよい。ＰＤＮ  ＧＷ１２６は、ＥＰＣ１２０と外部ＰＤＮとの間でデータパケットをルーティングしてよく、ポリシー施行および課金データ収集を実行してよい。また、ＰＤＮ  ＧＷ１２６は、非ＬＴＥアクセスを持つモビリティデバイスのためのアンカーポイントを提供してもよい。外部ＰＤＮは、ＩＰマルチメディアサブシステム（ＩＭＳ）ドメインに加え、あらゆる種類のＩＰネットワークであってよい。ＰＤＮ  ＧＷ１２６およびサービングＧＷ１２４は、単一の物理ノードまたは別個の物理ノードに実装されてよい。
【００２０】
ｅＮＢ１０４（マクロおよびマイクロ）は、エアインタフェースプロトコルを終端してよく、ＵＥ１０２に対する第１の接触ポイントであってよい。いくつかの実施形態において、ｅＮＢ１０４は、ＲＡＮ１０１の種々の論理機能を実行してよく、それらとしては、限定はされないが、無線ベアラー管理、アップリンクおよびダウンリンク動的無線リソース管理およびデータパケットスケジューリング、並びにモビリティ管理等のＲＮＣ（無線ネットワークコントローラ機能）が含まれる。いくつかの実施形態により、ＵＥ１０２は、ＯＦＤＭＡ通信技術に従い、マルチキャリア通信チャネルを介して、直交周波数分割多重（ＯＦＤＭ）通信信号をｅＮＢ１０４と通信するように構成されてよい。ＯＦＤＭ信号は、複数の直交サブキャリアを含んでよい。
【００２１】
Ｓ１インタフェース１１５は、ＲＡＮ１０１とＥＰＣ１２０とを分離するインタフェースであってよい。Ｓ１インタフェースは、２つの部分、すなわち、Ｓ１‐ＵおよびＳ１‐ＭＭＥに分割されてよい。Ｓ１‐Ｕは、トラフィックデータをｅＮＢ１０４とサービングＧＷ１２４との間で搬送してよく、Ｓ１‐ＭＭＥは、ｅＮＢ１０４とＭＭＥ１２２との間のシグナリングインタフェースであってよい。Ｘ２インタフェースは、ｅＮＢ１０４間のインタフェースであってよい。Ｘ２インタフェースは、２つの部分、すなわち、Ｘ２−ＣおよびＸ２−Ｕを含んでよい。Ｘ２−Ｃは、ｅＮＢ１０４間の制御プレーンインタフェースであってよい一方、Ｘ２−Ｕは、ｅＮＢ１０４間のユーザプレーンインタフェースであってよい。
【００２２】
セルラネットワークでは、通常、ＬＰセル１０４ｂを使用して、屋外信号が十分届かない屋内エリアへカバレッジを拡張してよく、または密集した使用状況のエリアにネットワーク容量を追加してよい。特に、マクロセル、マイクロセル、ピコセルおよびフェムトセルといった異なるサイズのセルを使用して、無線通信システムのカバレッジを強化し、システム性能を上げることが望ましいだろう。当該異なるサイズのセルは、同一の周波数帯域で動作してよく、または各セルが異なる周波数帯域で動作する状態、または異なるサイズのセルのみが異なる周波数帯域で動作する状態で、異なる周波数帯域で動作してよい。本明細書で使用されるＬＰ  ｅＮＢという用語は、フェムトセル、ピコセルまたはマイクロセル等のより小さなセル（マクロセルより小さい）を実装するための任意の好適な比較的低電力（ＬＰ）のｅＮＢを指す。フェムトセルｅＮＢは通常、モバイルネットワーク事業者からその住宅向け顧客またはエンタープライズ向け顧客へと提供されてよい。フェムトセルは通常、住宅向けゲートウェイのサイズまたはそれより小型であってよく、一般にブロードバンドラインに接続されてよい。フェムトセルは、モバイル事業者のモバイルネットワークに接続されてよく、通常３０〜５０メートルの範囲内に追加のカバレッジを提供してよい。故に、ＬＰ  ｅＮＢ１０４ｂは、ＰＤＮ  ＧＷ１２６を介して連結されるので、フェムトセルｅＮＢであってよい。同様に、ピコセルは通常、建物内（オフィス、ショッピングモール、電車の駅等）、または、より最近では航空機内等の小エリアをカバーする無線通信システムであってよい。ピコセルｅＮＢは、一般に、Ｘ２リンクを介してマクロｅＮＢ等の別のｅＮＢにその基地局制御装置（ＢＳＣ）の機能によって接続されてよい。故に、ＬＰ  ｅＮＢはマクロｅＮＢ１０４ａにＸ２インタフェースを介して連結されてよいので、ピコセルｅＮＢで実装されてよい。ピコセルｅＮＢまたは他のＬＰ  ｅＮＢ１０４ｂは、マクロｅＮＢ１０４ａの一部または全部の機能を組み込んでよい。いくつかの場合において、これはアクセスポイント基地局またはエンタープライズフェムトセルと呼ばれてよい。
【００２３】
ＬＴＥネットワーク上の通信は、１０ｍｓフレームに分割されてよく、各フレームは１０個の１ｍｓサブフレームを含んでよい。次に、フレームの各サブフレームは、０．５ｍｓのスロットを２つ含んでよい。各サブフレームは、ＵＥからｅＮＢへのアップリンク（ＵＬ）通信またはｅＮＢからＵＥへのダウンリンク（ＤＬ）通信に使用されてよい。一実施形態において、ｅＮＢは、特定のフレームにおいて、ＵＬ通信よりＤＬ通信の数をより多く割り当ててよい。ｅＮＢは、様々な周波数帯域（ｆ１およびｆ２）にわたる送信をスケジューリングしてよい。１周波数帯域で使用されるサブフレームにおけるリソースの割り当ては、別の周波数帯域におけるものと異なってよい。サブフレームの各スロットは、使用されるシステムに依り、６〜７個のＯＦＤＭシンボルを含んでよい。一実施形態において、サブフレームは、１２個のサブキャリアを含んでよい。ダウンリンクリソースグリッドは、ｅＮＢからＵＥへのダウンリンク送信に使用されてよい一方、アップリンクリソースグリッドは、ＵＥからｅＮＢへのまたはＵＥから別のＵＥへのアップリンク送信に使用されてよい。リソースグリッドは、時間‐周波数グリッドであってよく、それは各スロットにおけるダウンリンクの物理リソースである。リソースグリッドの最小の時間‐周波数単位は、リソースエレメント（ＲＥ）として表されてよい。リソースグリッドの各列および各行はそれぞれ、１個のＯＦＤＭシンボルおよび１個のＯＦＤＭサブキャリアに対応してよい。リソースグリッドは、物理チャネルとリソースエレメントおよび物理リソースブロック（ＰＲＢ）とのマッピングを記述するリソースブロック（ＲＢ）を含んでよい。ＰＲＢは、ＵＥに割り当て可能なリソースの最小単位であってよい。リソースブロックは、周波数において１８０ｋＨｚ幅および時間において１スロット長であってよい。周波数において、リソースブロックは、１２×１５ｋＨｚのサブキャリアまたは２４×７．５ｋＨｚのサブキャリアの幅のいずれかであってよい。多くのチャネルおよび信号については、システム帯域幅に依り、リソースブロックごとに１２個のサブキャリアが使用されてよい。周波数分割複信（ＦＤＤ）モードでは、アップリンクおよびダウンリンクのフレームの両方が１０ｍｓであってよく、周波数（全二重）分割または時間（半二重）分割であってよい。時分割複信（ＴＤＤ）では、アップリンクおよびダウンリンクのサブフレームは同一周波数で送信されてよく、時間ドメインで多重化される。時間ドメインにおけるリソースグリッド４００の持続時間は、１サブフレームまたは２つのリソースブロックに対応する。各リソースグリッドは、１２（サブキャリア）＊１４（シンボル）＝１６８リソースエレメントを含んでよい。
【００２４】
各ＯＦＤＭシンボルは、符号間干渉を効果的に除去するために使用されてよいサイクリックプレフィックス（ＣＰ）および高速フーリエ変換（ＦＦＴ）期間を含んでよい。ＣＰの持続時間は、遅延広がりの予想される最も高い程度によって判断されてよい。先行するＯＦＤＭシンボルからの歪みがＣＰ内に存在することがあるが、十分な持続時間のＣＰの場合、先行するＯＦＤＭシンボルは、ＦＦＴ期間に入らない。ＦＦＴ期間信号が受信およびデジタル化されると、受信機は、ＣＰ内の信号を無視してよい。
【００２５】
このようなリソースブロックを使用して伝送されるいくつかの異なる物理ダウンリンクチャネルが存在してよく、それらには、物理ダウンリンク制御チャネル（ＰＤＣＣＨ）および物理ダウンリンク共有チャネル（ＰＤＳＣＨ）が含まれる。各サブフレームは、ＰＤＣＣＨおよびＰＤＳＣＨにパーティション化されてよい。ＰＤＣＣＨは通常、各サブフレームの最初の２個のシンボルを占有してよく、とりわけ、ＰＤＳＣＨチャネルに関連するトランスポートフォーマットおよびリソース割り当てに関する情報に加え、アップリンク共有チャネルに関連するＨ‐ＡＲＱ情報を搬送する。ＰＤＳＣＨは、ユーザデータおよびＵＥへの上位レイヤシグナリングを搬送してよく、サブフレームの残部を占有してよい。通常、ダウンリンクスケジューリング（制御および共有チャネルリソースブロックのセル内のＵＥへの割り当て）は、ｅＮＢにおいて、ＵＥからｅＮＢに提供されるチャネル品質情報に基づいて実行されてよく、その後、ダウンリンクリソース割り当て情報がそのＵＥに使用（割り当てられる）されるＰＤＣＣＨで各ＵＥに送信されてよい。ＰＤＣＣＨは、リソースグリッドから、同一サブフレームにおいてＰＤＳＣＨで送信されたデータの検出およびデコードの仕方をＵＥに指示する複数のフォーマットのうちの１つにおけるダウンリンク制御情報（ＤＣＩ）を含んでよい。ＤＣＩフォーマットは、リソースブロック数、リソース割り当てタイプ、変調スキーム、トランスポートブロック、冗長性バージョン、符号化率等といった詳細を提供してよい。各ＤＣＩフォーマットは、巡回冗長コード（ＣＲＣ）を有してよく、ＰＤＳＣＨが目的とするターゲットＵＥを識別する無線ネットワーク一時識別子（ＲＮＴＩ）でスクランブルされてよい。ＵＥ固有のＲＮＴＩを使用することで、ＤＣＩフォーマット（故に、対応するＰＤＳＣＨ）のデコーディングを目的のＵＥのみに限定してよい。
【００２６】
参照信号を含む周期的な参照シグナリングメッセージが、ｅＮＢとＵＥとの間で生じてよい。ダウンリンク参照信号は、セル固有の参照信号（ＣＲＳ）およびＵＥ固有の参照信号を含んでよい。ＣＲＳは、複数のＵＥへの送信、チャネル推定、ＵＥ側におけるコヒーレント復調およびハンドオーバのスケジューリングに使用されてよい。その他の参照信号としては、測定のために使用されるチャネル状態情報参照信号（ＣＳＩ‐ＲＳ）および個々のＵＥに固有の発見参照信号（ＤＲＳ）が含まれてよい。ＣＳＩ‐ＲＳは、比較的疎であり、ＰＤＳＣＨにおいて出現し、アンテナに依存するものである。
【００２７】
プライマリ同期信号（ＰＳＳ）およびセカンダリ同期信号（ＳＳＳ）は、セルＩＤ、現在のサブフレーム番号、スロット境界、およびデュプレックスモードを用いてセルを識別するために、ＵＥによって使用されてよい。ＰＳＳおよびＳＳＳは、ｅＮＢ１０４ａ、１０４ｂによって使用されるシステム帯域幅の中心の６個のＰＲＢ（１．０８ＭＨｚ）で送信されてよい。ＰＳＳおよびＳＳＳは、ｅＮＢ１０４ａ、１０４ｂからブロードキャストですべてのＵＥ１０２に対し、標準ＣＰの各無線フレームのサブフレーム０および５の各々において、それぞれシンボル周期６および５で送信されてよい。ＰＳＳは、スロット同期に使用されてよく、グループシーケンスにおいて３個のセルＩＤのうちの１個を搬送してよい。ＳＳＳは、フレーム同期に使用されてよく、１７０個の一意のセル識別子のうちの１個を搬送してよく、その結果、セルＩＤとセル識別子の５１０の一意の組み合わせが、ＬＴＥシステム内に存在することになる。ＰＳＳの周波数位置は、固定であってよいので、ＰＳＳは、ＵＥ１０２が、割り当てられた帯域幅の事前知識がない状態で、ＰＳＳ／ＳＳＳを取得するための予期される帯域における相関を使用して、ネットワークと同期することを可能にしてよい。
【００２８】
具体的には、ＰＳＳおよびＳＳＳは、６２個のシンボル長から成るシーケンスで構成されてよく、直流（ＤＣ）サブキャリアの周囲の中心の６２個のサブキャリアにマッピングされてよく、当該直流サブキャリアの周波数は、ＵＥ１０２のＲＦ中心周波数に等しいことになる。ＰＳＳは、長さ６３の周波数ドメインＺａｄｏｆｆ−Ｃｈｕ（ＺＣ）シーケンスから構築されてよい。ＵＥ１０２は、物理レイヤセルＩＤを取得可能であってよく、且つＰＳＳの検出後に、スロット同期を達成可能であってよい。ＳＳＳシーケンスは、最大長シーケンス（Ｍ‐シーケンス）に従い生成されてよく、最大長シーケンスは、長さｎのシフトレジスタのあらゆる可能な状態を循環することによって生成されてよい。ＰＳＳおよびＳＳＳの検出により、時間および周波数の同期を可能にしてよく、ＵＥにセルの物理レイヤ識別情報およびＣＰ長を提供してよく、ＵＥに対し、セルがＦＤＤまたはＴＤＤを使用するかどうかを通知してよい。ＵＥ１０２は、ＰＳＳおよびＳＳＳの検出後、ＰＤＣＣＨおよびＵＥ１０２を目的とする任意のＰＤＳＣＨを受信およびデコーディングし且つアップリンク送信をｅＮＢ１０４に提供するために、ｅＮＢ１０４と通信可能であってよい。
【００２９】
２つの同期チャネルが、セルサーチのために定義されてよい。プライマリ同期チャネル（Ｐ‐ＳＣＨ）は、セルＩＤグループ内のセルＩＤを示す値０〜２を持つプライマリコードを搬送する。セルＩＤのうちの１つに対応するＰＳＳで送信されるべきシーケンスは、周波数‐ドメインＺＣシーケンスから生成され、それは３つのルートインデックスをもたらし、各々、当該３つのセルＩＤのそれぞれに対するものである。セカンダリ同期チャネル（Ｓ‐ＳＣＨ）は、値０〜１６７を持つセカンダリコードを搬送する。これは、１６８個の考え得るグループのうちの１つのセルＩＤグループを示す。ＵＥ１０２は、受信された信号をそのバリエーションと相関させ、最大相関値を識別して、コードの値を判断し、セルの物理セルＩＤを取得し、セルと整合する無線フレーム、サブフレームおよびスロットになるようにする。
【００３０】
いくつかの実施形態において、非校正アンテナを用いる場合、ビームフォーミングされるＰＳＳ送信が、ｅＮＢのアンテナトレーニングに使用されてよい。校正アンテナを用いるＴＤＤシステムの場合、全方向性に繰り返されるＰＳＳ送信は、ビームフォーミングトレーニングのオーバヘッドをさらに低減すると考えられてよい。ビームフォーミングされるＰＳＳ送信が構成される場合、ビーム走査を用いてのｅＮＢ１０４によるＰＳＳ／ＳＳＳの送信中、ＵＥ１０２は、ビームサーチを実行してよく、その後、最適なｅＮＢへの送信方向で、確認応答（ＡＣＫ）をｅＮＢ１０４に対し送信してよい。ｅＮＢ１０４は、示された送信方向を使用する方向性送信で応答してよい。当該方向性送信を受信したＵＥ１０２は、ビーム走査を用いて、アップリンク物理ランダムアクセスチャネル（ＰＲＡＣＨ）をｅＮＢ１０４に送信してよい。ｅＮＢ１０４は、ビームサーチを実行し、その後、最適なＵＥへの送信方向で、ＡＣＫをＵＥ１０２に対し送信してよい。ＡＣＫを受信したＵＥ１０２は、最適なＵＥへの送信方向を用いる送信で応答してよく、ｅＮＢ１０４は受信機トレーニングを実行してよい。
【００３１】
ｅＮＢ１０４に、全方向性に繰り返されるＰＳＳ送信が構成される場合、ｅＮＢ１０４によるＰＳＳ／ＳＳＳの送信中、ＵＥ１０２は、コースビームフォーミングトレーニングを実行してよく、フィードバックをｅＮＢ１０４に供給せずに、コースセクタスイープを用いてＰＲＡＣＨを送信してよい。ｅＮＢ１０４は、アナログビームフォーミングトレーニングおよびデジタルビームフォーミングトレーニングを実行してよい。
【００３２】
従って、上記および他の周期的なメッセージは、通信チャネルに関する情報を供給するだけでなく、ＵＥとの通信の時間および／または周波数における追跡を可能にしてよい。アップリンク参照信号は、復調参照信号（ＤＭ‐ＲＳ）を含んでよく、復調参照信号は、ｅＮＢでのコヒーレント信号復調を可能にすべく使用されてよい。ＤＭ‐ＲＳは、アップリンクデータと共に時分割されてよく、当該データと同一の帯域幅を用いて、標準ＣＰまたは拡張ＣＰの場合にそれぞれ、アップリンクスロットの第４番目のシンボルまたは第３番目のシンボルで送信されてよい。サウンディング参照信号（ＳＲＳ）が、ＵＥによって、異なる送信帯域幅で使用され、チャネル依存のアップリンクスケジューリングを可能にしてよく、サウンディング参照信号（ＳＲＳ）は通常、サブフレームの最後のシンボル内で送信されてよい。
【００３３】
本明細書に記載の実施形態は、任意の好適に構成されたハードウェアおよび／またはソフトウェアを使用して、システムに実装されてよい。図２は、いくつかの実施形態による、ＵＥのコンポーネントを示す。図示されるコンポーネントのうちの少なくとも一部がｅＮＢまたはＭＭＥで使用されてよく、例えば、図１中に示されるＵＥ１０２またはｅＮＢ１０４等が挙げられる。ＵＥ２００および他のコンポーネントは、本明細書に記載の同期信号を使用するように構成されてよい。ＵＥ２００は、図１中に示されるＵＥ１０２のうちの１つであってよく、据え置きの非モバイルデバイスであってよく、またはモバイルデバイスであってよい。いくつかの実施形態において、ＵＥ２００は、少なくとも図示の通り共に連結されたアプリケーション回路２０２、ベースバンド回路２０４、無線周波数（ＲＦ）回路２０６、フロントエンドモジュール（ＦＥＭ）回路２０８および１または複数のアンテナ２１０を含んでよい。ベースバンド回路２０４、ＲＦ回路２０６、およびＦＥＭ回路２０８のうちの少なくとも一部が、送受信機を形成してよい。いくつかの実施形態において、ｅＮＢ等の他のネットワーク要素は、図２中に示されるコンポーネントのうちの一部または全部を含んでよい。ＭＭＥ等、ネットワーク要素のうちの他のものは、有線接続を介して、ＵＥに関してｅＮＢと通信するためのＳ１インタフェース等のインタフェースを含んでよい。
【００３４】
アプリケーションまたは処理回路２０２は、１または複数のアプリケーションプロセッサを含んでよい。例えば、アプリケーション回路２０２は、限定はされないが、１または複数のシングルコアプロセッサまたはマルチコアプロセッサ等の回路を含んでよい。プロセッサは、汎用プロセッサおよび専用プロセッサ（例えば、グラフィックプロセッサ、アプリケーションプロセッサ等）の任意の組み合わせを含んでよい。プロセッサは、メモリ／ストレージに連結されてよく、および／またはメモリ／ストレージを含んでよく、およびプロセッサは、様々なアプリケーションおよび／またはオペレーティングシステムがシステム上で実行できるようにするためのメモリ／ストレージ内に格納された命令を実行するように構成されてよい。
【００３５】
ベースバンド回路２０４は、限定はされないが、１または複数のシングルコアまたはマルチコアプロセッサ等の回路を含んでよい。ベースバンド回路２０４は、ＲＦ回路２０６の受信信号パスから受信されるベースバンド信号を処理し、ＲＦ回路２０６の送信信号パスのためのベースバンド信号を生成するための１または複数のベースバンドプロセッサおよび／または制御ロジックを含んでよい。ベースバンド処理回路２０４は、ベースバンド信号の生成および処理のために、並びにＲＦ回路２０６の動作を制御するために、アプリケーション回路２０２とやり取りしてよい。例えば、いくつかの実施形態において、ベースバンド回路２０４は、第２世代（２Ｇ）ベースバンドプロセッサ２０４ａ、第３世代（３Ｇ）ベースバンドプロセッサ２０４ｂ、第４世代（４Ｇ）ベースバンドプロセッサ２０４ｃ、および／または他の既存世代、開発中の若しくは将来開発されるべき世代（例えば、第５世代（５Ｇ）、６Ｇ等）の他のベースバンドプロセッサ２０４ｄを含んでよい。ベースバンド回路２０４（例えば、ベースバンドプロセッサ２０４ａ〜ｄのうちの１または複数）は、ＲＦ回路２０６を介する１または複数の無線ネットワークとの通信を可能にする様々な無線制御機能を処理してよい。無線制御機能としては、限定はされないが、信号変調／復調、エンコーディング／デコーディング、無線周波数シフト等が含まれてよい。いくつかの実施形態において、ベースバンド回路２０４の変調／復調回路は、ＦＦＴ、プリコーディング、および／またはコンステレーションマッピング／デマッピング機能を含んでよい。いくつかの実施形態において、ベースバンド回路２０４のエンコーディング／デコーディング回路は、コンボリューション、テールバイティングコンボリューション、ターボ、ビタビ、および／または低密度パリティチェック（ＬＤＰＣ）エンコーダ／デコーダ機能を含んでよい。変調／復調およびエンコーダ／デコーダ機能の実施形態はこれらの例に限定されず、他の実施形態においては、他の好適な機能を含んでよい。
【００３６】
いくつかの実施形態において、ベースバンド回路２０４は、例えば、進化型ユニバーサル地上波無線アクセスネットワーク（ＥＵＴＲＡＮ）プロトコルの要素といったプロトコルスタックの要素を含んでよく、それらには例えば、物理（ＰＨＹ）、媒体アクセス制御（ＭＡＣ）、無線リンク制御（ＲＬＣ）、パケットデータ収束プロトコル（ＰＤＣＰ）および／または無線リソース制御（ＲＲＣ）要素が含まれる。ベースバンド回路２０４の中央処理装置（ＣＰＵ）２０４ｅは、ＰＨＹ、ＭＡＣ、ＲＬＣ、ＰＤＣＰおよび／またはＲＲＣレイヤのシグナリングのためのプロトコルスタックの要素を実行するように構成されてよい。いくつかの実施形態において、ベースバンド回路は、１または複数のオーディオデジタル信号プロセッサ（ＤＳＰ）２０４ｆを含んでよい。オーディオＤＳＰ  ２０４ｆは、圧縮／圧縮解除およびエコーキャンセルのための要素を含んでよく、他の実施形態においては、他の好適な処理要素を含んでよい。ベースバンド回路の複数のコンポーネントが単一のチップまたは単一のチップセット内で好適に組み合わされてよく、またはいくつかの実施形態においては、同一回路基板上に配置されてよい。いくつかの実施形態において、ベースバンド回路２０４およびアプリケーション回路２０２の構成コンポーネントのうちの一部または全部が、例えばシステムオンチップ（ＳＯＣ）等の上に一緒に実装されてよい。
【００３７】
いくつかの実施形態において、ベースバンド回路２０４は、１または複数の無線技術と互換性のある通信を提供してよい。例えば、いくつかの実施形態において、ベースバンド回路２０４は、進化型ユニバーサル地上波無線アクセスネットワーク（ＥＵＴＲＡＮ）および／または他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートしてよい。ベースバンド回路２０４が、２つ以上の無線プロトコルの無線通信をサポートするように構成されている実施形態は、マルチモードベースバンド回路と称されてよい。いくつかの実施形態において、デバイスは、通信規格または他のプロトコル若しくは規格に従い動作するように構成されてよく、それらとしては、米国電子電気学会（ＩＥＥＥ）８０２．１６ワイヤレス技術（ＷｉＭａｘ（登録商標））、６０ＧＨｚミリ波スペクトルで動作するＩＥＥＥ  ８０２  ａｄを含むＩＥＥＥ８０２．１１ワイヤレス技術（ＷｉＦｉ）、移動体通信用グローバルシステム（ＧＳＭ（登録商標））、ＧＳＭ（登録商標）エボリューションのための拡張されたデータレート（ＥＤＧＥ）、ＧＳＭ（登録商標）‐ＥＤＧＥ無線アクセスネットワーク（ＧＥＲＡＮ）、ユニバーサル移動体通信システム（ＵＭＴＳ）、ＵＭＴＳ地上波無線アクセスネットワーク（ＵＴＲＡＮ）、または既に開発済みの若しくは開発されるべき他の２Ｇ、３Ｇ、４Ｇ、５Ｇ等の様々な他のワイヤレス技術が含まれる。
【００３８】
ＲＦ回路２０６は、非固体媒体を介して変調された電磁放射を使用する無線ネットワークとの通信を有効にしてよい。様々な実施形態において、ＲＦ回路２０６は、無線ネットワークとの通信を容易にするためのスイッチ、フィルタ、増幅器等を含んでよい。ＲＦ回路２０６は、受信信号パスを含んでよく、受信信号パスは、ＦＥＭ回路２０８から受信されたＲＦ信号をダウンコンバートし、ベースバンド回路２０４にベースバンド信号を提供するための回路を含んでよい。また、ＲＦ回路２０６は、送信信号パスも含んでよく、送信信号パスは、ベースバンド回路２０４によって提供されたベースバンド信号をアップコンバートし、ＲＦ出力信号を送信のためにＦＥＭ回路２０８に提供するための回路を含んでよい。
【００３９】
いくつかの実施形態において、ＲＦ回路２０６は、受信信号パスおよび送信信号パスを含んでよい。ＲＦ回路２０６の受信信号パスは、ミキサ回路２０６ａ、増幅回路２０６ｂ、およびフィルタ回路２０６ｃを含んでよい。ＲＦ回路２０６の送信信号パスは、フィルタ回路２０６ｃおよびミキサ回路２０６ａを含んでよい。また、ＲＦ回路２０６は、受信信号パスおよび送信信号パスのミキサ回路２０６ａによる使用のために周波数を合成するシンセサイザ回路２０６ｄも含んでよい。いくつかの実施形態において、受信信号パスのミキサ回路２０６ａは、シンセサイザ回路２０６ｄによって提供される合成された周波数に基づいて、ＦＥＭ回路２０８から受信されたＲＦ信号をダウンコンバートするように構成されてよい。増幅回路２０６ｂは、ダウンコンバートされた信号を増幅するように構成されてよく、フィルタ回路２０６ｃは、ダウンコンバートされた信号から不要な信号を除去して、出力ベースバンド信号を生成するように構成されたローパスフィルタ（ＬＰＦ）またはバンドパスフィルタ（ＢＰＦ）であってよい。出力ベースバンド信号は、さらなる処理のためにベースバンド回路２０４に提供されてよい。いくつかの実施形態において、出力ベースバンド信号は、ゼロ周波数のベースバンド信号であってよいが、これは要件ではない。いくつかの実施形態において、受信信号パスのミキサ回路２０６ａは、パッシブミキサを含んでよいが、本実施形態の範囲はこの点において限定はされない。
【００４０】
いくつかの実施形態において、送信信号パスのミキサ回路２０６ａは、シンセサイザ回路２０６ｄによって提供される合成された周波数に基づいて、入力ベースバンド信号をアップコンバートして、ＦＥＭ回路２０８のためのＲＦ出力信号を生成するように構成されてよい。ベースバンド信号は、ベースバンド回路２０４によって提供されてよく、フィルタ回路２０６ｃによってフィルタリングされてよい。フィルタ回路２０６ｃは、ローパスフィルタ（ＬＰＦ）を含んでよいが、本実施形態の範囲はこの点において限定はされない。
【００４１】
いくつかの実施形態において、受信信号パスのミキサ回路２０６ａおよび送信信号パスのミキサ回路２０６ａは、２または２より多いミキサを含んでよく、それぞれ直交ダウンコンバージョンおよび／または直交アップコンバージョン用に構成されてよい。いくつかの実施形態において、受信信号パスのミキサ回路２０６ａおよび送信信号パスのミキサ回路２０６ａは、２または２より多いミキサを含んでよく、イメージ除去（例えば、ハートレーイメージ除去）用に構成されてよい。いくつかの実施形態において、受信信号パスのミキサ回路２０６ａおよび送信信号パスのミキサ回路２０６ａは、それぞれダイレクトダウンコンバージョンおよび／またはダイレクトアップコンバージョン用に構成されてよい。いくつかの実施形態において、受信信号パスのミキサ回路２０６ａおよび送信信号パスのミキサ回路２０６ａは、スーパーヘテロダイン操作用に構成されてよい。
【００４２】
いくつかの実施形態において、出力ベースバンド信号および入力ベースバンド信号は、アナログベースバンド信号であってよいが、本実施形態の範囲はこの点において限定はされない。いくつかの代替的な実施形態においては、出力ベースバンド信号および入力ベースバンド信号は、デジタルベースバンド信号であってよい。これらの代替的な実施形態においては、ＲＦ回路２０６は、アナログ‐デジタルコンバータ（ＡＤＣ）およびデジタル‐アナログコンバータ（ＤＡＣ）回路を含んでよく、ベースバンド回路２０４は、ＲＦ回路２０６と通信するためのデジタルベースバンドインタフェースを含んでよい。
【００４３】
いくつかのデュアルモードの実施形態においては、各スペクトルの信号を処理するために、別個の無線ＩＣ回路が設けられてよいが、本実施形態の範囲はこの点において限定はされない。
【００４４】
いくつかの実施形態において、シンセサイザ回路２０６ｄは、フラクショナル‐ＮシンセサイザまたはフラクショナルＮ／Ｎ＋１シンセサイザであってよいが、他のタイプの周波数シンセサイザが好適であってよいように、本実施形態の範囲はこの点において限定はされない。例えば、シンセサイザ回路２０６ｄは、デルタ‐シグマシンセサイザ、周波数逓倍器、または周波数分周器を用いる位相ロックループを持つシンセサイザであってよい。
【００４５】
シンセサイザ回路２０６ｄは、周波数入力および分周器制御入力に基づき、ＲＦ回路２０６のミキサ回路２０６ａによる使用のために出力周波数を合成するように構成されてよい。いくつかの実施形態において、シンセサイザ回路２０６ｄは、フラクショナルＮ／Ｎ＋１シンセサイザであってよい。
【００４６】
いくつかの実施形態において、周波数入力は電圧制御発振器（ＶＣＯ）によって提供されてよいが、それは要件ではない。分周器制御入力は、所望の出力周波数に応じて、ベースバンド回路２０４またはアプリケーションプロセッサ２０２のいずれかによって提供されてよい。いくつかの実施形態において、分周器制御入力（例えば、Ｎ）は、アプリケーションプロセッサ２０２によって示されるチャネルに基づき、ルックアップテーブルから決定されてよい。
【００４７】
ＲＦ回路２０６のシンセサイザ回路２０６ｄは、分周器、遅延ロックループ（ＤＬＬ）、マルチプレクサ、および位相アキュムレータを含んでよい。いくつかの実施形態において、分周器は、デュアルモジュラス分周器（ＤＭＤ）であってよく、位相アキュムレータは、デジタル位相アキュムレータ（ＤＰＡ）であってよい。いくつかの実施形態において、ＤＭＤは、入力信号をＮまたはＮ＋１（例えば、キャリーアウトに基づく）のいずれかで分周して、分周比をもたらすように構成されてよい。いくつかの例示的な実施形態においては、ＤＬＬは、カスケードされた調整可能な遅延素子、位相検出器、チャージポンプ、およびＤタイプフリップ‐フロップのセットを含んでよい。これらの実施形態において、遅延素子は、ＶＣＯ期間をＮｄの等しい位相パケットに分割するように構成されてよく、ここでＮｄは遅延ラインの遅延素子の数である。このように、ＤＬＬは、遅延ラインによる合計遅延が１ＶＣＯサイクルであることを保証することに寄与すべく、負のフィードバックを提供する。
【００４８】
いくつかの実施形態において、シンセサイザ回路２０６ｄは、出力周波数としてキャリア周波数を生成するように構成されてよい一方、他の実施形態においては、出力周波数はキャリア周波数の倍数であってよく（例えば、キャリア周波数の２倍、キャリア周波数の４倍）、出力周波数を直交発生器および分周回路と併用して、キャリア周波数において互いに対して複数の異なる位相を持つ多重信号を生成してよい。いくつかの実施形態において、出力周波数は、ＬＯ周波数（ｆＬＯ）であってよい。いくつかの実施形態において、ＲＦ回路２０６は、ＩＱ／極座標変換器を含んでよい。
【００４９】
ＦＥＭ回路２０８は、受信信号パスを含んでよく、受信信号パスは、１または複数のアンテナ２１０から受信されたＲＦ信号を処理し、受信された信号を増幅し、受信された信号を増幅したものをＲＦ回路２０６に対しさらなる処理のために提供するように構成された回路を含んでよい。また、ＦＥＭ回路２０８は、送信信号パスも含んでよく、送信信号パスは、ＲＦ回路２０６によって提供される送信のための信号を、１または複数のアンテナ２１０のうちの１または複数による送信のために、増幅するように構成された回路を含んでよい。
【００５０】
いくつかの実施形態において、ＦＥＭ回路２０８は、送信モード処理および受信モード処理間を切り替えるＴＸ／ＲＸスイッチを含んでよい。ＦＥＭ回路は、受信信号パスおよび送信信号パスを含んでよい。ＦＥＭ回路の受信信号パスは、受信されたＲＦ信号を増幅し、増幅された受信ＲＦ信号を出力（例えば、ＲＦ回路２０６への）として提供するための低雑音増幅器（ＬＮＡ）を含んでよい。ＦＥＭ回路２０８の送信信号パスは、入力ＲＦ信号（例えば、ＲＦ回路２０６によって提供された）を増幅するためのパワーアンプ（ＰＡ）、および後続の送信（例えば、１または複数のアンテナ２１０のうちの１または複数による）のためにＲＦ信号を生成するための１または複数のフィルタを含んでよい。
【００５１】
いくつかの実施形態において、さらに詳細に後述されるように、ＵＥ２００は例えば、メモリ／ストレージ、ディスプレイ、カメラ、センサ、および／または入／出力（Ｉ／Ｏ）インタフェース等の追加要素を含んでよい。いくつかの実施形態において、本明細書に記載のＵＥ２００は、携帯情報端末（ＰＤＡ）、ワイヤレス通信機能を持つラップトップ若しくはポータブルコンピュータ、ウェブタブレット、無線電話、スマートフォン、無線ヘッドセット、ページャ、インスタントメッセージングデバイス、デジタルカメラ、アクセスポイント、テレビ受像機、医療機器（例えば、心拍数モニタ、血圧モニタ等）、または無線で情報を受信および／または送信してよいその他のデバイス等のポータブルワイヤレス通信デバイスの一部であってよい。いくつかの実施形態において、ＵＥ２００は、システムとのユーザインタラクションを可能にするように設計された１または複数のユーザインタフェースおよび／またはシステムとのペリフェラルコンポーネントインタラクションを可能にするように設計されたペリフェラルコンポーネントインタフェースを含んでよい。例えば、ＵＥ２００は、キーボード、キーパッド、タッチパッド、ディスプレイ、センサ、不揮発性メモリポート、ユニバーサルシリアルバス（ＵＳＢ）ポート、オーディオジャック、電源インタフェース、１または複数のアンテナ、グラフィックプロセッサ、アプリケーションプロセッサ、スピーカ、マイク、および他のＩ／Ｏコンポーネントのうちの１または複数を含んでよい。ディスプレイは、タッチスクリーンを含む、ＬＣＤまたはＬＥＤスクリーンであってよい。センサは、ジャイロセンサ、加速度計、近接センサ、環境光センサ、および位置決めユニットを含んでよい。位置決めユニットは、例えば、全地球測位システム（ＧＰＳ）衛星等の位置決めネットワークのコンポーネントと通信してよい。
【００５２】
アンテナ２１０は、１または複数の指向性アンテナまたは全方向性アンテナを含んでよく、それらとしては例えば、ダイポールアンテナ、モノポールアンテナ、パッチアンテナ、ループアンテナ、マイクロストリップアンテナ、またはＲＦ信号の送信に好適なその他のタイプのアンテナが含まれる。いくつかのＭＩＭＯ（複数の入力と複数の出力）の実施形態においては、アンテナ２１０は、もたらされてよい空間ダイバーシチおよび異なるチャネル特性を活用すべく、効果的に分離されてよい。
【００５３】
ＵＥ２００はいくつかの別個の機能要素を有するものとして示されているが、当該機能要素のうちの１または複数は組み合わされてよく、当該機能要素のうちの１または複数は、デジタル信号プロセッサ（ＤＳＰ）を含む処理要素等のソフトウェアで構成される要素、および／または他のハードウェア要素の組み合わせによって実装されてよい。例えば、いくつかの要素は、１または複数のマイクロプロセッサ、ＤＳＰ、フィールドプログラマブルゲートアレイ（ＦＰＧＡ）、特定用途向け集積回路（ＡＳＩＣ）、無線周波数集積回路（ＲＦＩＣ）および、本明細書に記載の機能を少なくとも実行するための様々なハードウェアおよびロジック回路の組み合わせを含んでよい。いくつかの実施形態において、機能要素とは、１または複数の処理要素に対し動作する１または複数の処理を指してよい。
【００５４】
実施形態は、ハードウェア、ファームウェアおよびソフトウェアのうちの１つまたは組み合わせにおいて実装されてよい。実施形態はまた、コンピュータ可読ストレージデバイス上に格納された命令として実装されてもよく、命令は、本明細書に記載の処理を実行するための少なくとも１つのプロセッサによって読み取りおよび実行されてよい。コンピュータ可読ストレージデバイスは、機械（例えば、コンピュータ）によって読み取り可能な形態の情報を格納するための任意の非一時的メカニズムを含んでよい。例えば、コンピュータ可読ストレージデバイスは、リードオンリメモリ（ＲＯＭ）、ランダムアクセスメモリ（ＲＡＭ）、磁気ディスク記録媒体、光記録媒体、フラッシュメモリデバイス、および他のストレージデバイスおよび媒体を含んでよい。いくつかの実施形態は、１または複数のプロセッサを含んでよく、コンピュータ可読ストレージデバイス上に格納された命令で構成されてよい。
【００５５】
図３は、いくつかの実施形態による通信デバイスのブロック図である。デバイスは、例えば、図１中に示されたＵＥ１０２またはｅＮＢ１０４等のＵＥまたはｅＮＢであってよく、それらは、本明細書に説明するようにＵＥを追跡するように構成されてよい。物理レイヤ回路３０２は、様々なエンコーディング機能およびデコーディング機能を実行してよく、それらとしては、送信のためのベースバンド信号の形成および受信された信号のデコーディングが含まれてよい。また、通信デバイス３００は、無線媒体へのアクセスを制御するための媒体アクセス制御レイヤ（ＭＡＣ）回路３０４を含んでよい。また、通信デバイス３００は、１または複数のシングルコアプロセッサまたはマルチコアプロセッサ等の処理回路３０６および本明細書に記載の処理を実行するように構成されたメモリ３０８を含んでよい。物理レイヤ回路３０２、ＭＡＣ回路３０４および処理回路３０６は、１または複数の無線技術と互換性のある１または複数の無線ネットワークとの通信を可能にする種々の無線制御機能を扱ってよい。無線制御機能としては、信号変調、エンコーディング、デコーディング、無線周波数シフト等が含まれてよい。例えば、図２に示されるデバイスと同様に、いくつかの実施形態において、通信は、ＷＭＡＮ、ＷＬＡＮおよびＷＰＡＮのうちの１または複数を用いて有効にされてよい。いくつかの実施形態において、通信デバイス３００は、３ＧＰＰ規格または他のプロトコル若しくは規格に基づいて動作するように構成されてよく、それらとしては、ＷｉＭａｘ、ＷｉＦｉ、ＧＳＭ（登録商標）、ＥＤＧＥ、ＧＥＲＡＮ、ＵＭＴＳ、ＵＴＲＡＮ、または既に開発済みの若しくは今後開発されるべき３Ｇ、４Ｇ、５Ｇ等の技術が挙げられる。通信デバイス３００は、他の外部デバイスとの無線通信を可能にするための送受信機回路３１２、および他の外部デバイスとの有線通信を可能にするためのインタフェース３１４を含んでよい。別の例として、送受信機回路３１２は、ベースバンド範囲と無線周波数（ＲＦ）範囲との間の信号の変換等、様々な送信機能および受信機能を実行してよい。
【００５６】
アンテナ３０１は、１または複数の指向性アンテナまたは全方向性アンテナを含んでよく、それらとしては例えば、ダイポールアンテナ、モノポールアンテナ、パッチアンテナ、ループアンテナ、マイクロストリップアンテナ、またはＲＦ信号の送信に好適な他のタイプのアンテナが含まれる。いくつかのＭＩＭＯ（複数の入力と複数の出力）の実施形態においては、アンテナ３０１は、もたらされ得る空間ダイバーシチおよび異なるチャネル特性を活用すべく、効果的に分離されてよい。
【００５７】
通信デバイス３００はいくつかの別個の機能要素を有するものとして示されているが、当該機能要素のうちの１または複数は組み合わされてよく、当該機能要素のうちの１または複数は、ＤＳＰを含む処理要素等のソフトウェアで構成される要素、および／または他のハードウェア要素の組み合わせによって実装されてよい。例えば、いくつかの要素は、１または複数のマイクロプロセッサ、ＤＳＰ、ＦＰＧＡ、ＡＳＩＣ、ＲＦＩＣおよび、本明細書に記載の少なくとも諸機能を実行するための様々なハードウェアおよびロジック回路の組み合わせを含んでよい。いくつかの実施形態において、機能要素とは、１または複数の処理要素に対し行われる１または複数のプロセスを指してよい。実施形態は、ハードウェア、ファームウェアおよびソフトウェアのうちの１つまたは組み合わせにおいて実装されてよい。また、実施形態は、コンピュータ可読ストレージデバイス上に格納された命令として実装されてもよく、当該命令は、本明細書に記載の処理を実行するための少なくとも１つのプロセッサによって読み取りおよび実行されてよい。
【００５８】
図４は、いくつかの実施形態による通信デバイスの別のブロック図を示す。代替的な実施形態において、通信デバイス４００は、スタンドアロンデバイスとして動作してもよいし、または他の通信デバイスに接続（例えば、ネットワーク接続）されてもよい。ネットワーク接続の配置においては、通信デバイス４００は、サーバ通信デバイス、クライアント通信デバイス、またはサーバ‐クライアントネットワーク環境においてはそれら両方の容量において動作してよい。一例において、通信デバイス４００は、ピアツーピア（Ｐ２Ｐ）（または他の分散）ネットワーク環境においては、ピア通信デバイスとして機能してよい。通信デバイス４００は、ＵＥ、ｅＮＢ、ＰＣ、タブレットＰＣ、ＳＴＢ、ＰＤＡ、携帯電話、スマートフォン、ウェブアプライアンス、ネットワークルータ、スイッチ若しくはブリッジ、またはその通信デバイスによって実行されるべきアクションを指定する命令（シーケンシャルまたはそれ以外）を実行可能な任意の通信デバイスであってよい。さらに、単一の通信デバイスのみが示されているが、「通信デバイス」という用語は、また、クラウドコンピューティング、サース（ＳａａＳ）、他のコンピュータクラスタ構成等の本明細書に記載の技法のうちの任意の１または複数を実行するための命令セット（または複数のセット）を個別にまたは連携的に実行する通信デバイスの任意の集まりを含むものとしても解釈されるべきである。
【００５９】
本明細書に記載の例は、ロジックまたは複数のコンポーネント、モジュール、若しくはメカニズムを含んでよく、またはそれらに対し動作してよい。モジュールは、指定された処理を実行可能な有形的なエンティティ（例えば、ハードウェア）であり、モジュールは、特定の態様で構成または配置されてよい。一例において、回路は、モジュールとして特定の態様で構成（例えば、内部にまたは他の回路等の外部エンティティに関し）されてよい。一例において、１または複数のコンピュータシステム（例えば、スタンドアロン、クライアントまたはサーバコンピュータシステム）、または１または複数のハードウェアプロセッサのうちの全部または一部が、ファームウェアまたはソフトウェア（例えば、命令、アプリケーションの一部、またはアプリケーション）によって、指定された処理を実行するように動作するモジュールとして構成されてよい。一例において、ソフトウェアは、通信デバイス可読媒体上に存在してよい。一例において、ソフトウェアは、モジュールの基本的なハードウェアによる実行時、ハードウェアに対し、指定された処理を実行させる。
【００６０】
従って、「モジュール」という用語は、有形的なエンティティ、すなわち、指定された態様で動作するように、または本明細書に記載の任意の処理の一部若しくは全部を実行するように、物理的に構築されたものであれ、具体的に構成されたもの（例えば、ハードワイヤード）であれ、または一時的（例えば、一時）に構成されたもの（例えば、プログラミング）であれ、これらエンティティを包含するものとして理解される。モジュールが一時的に構成される例を検討すると、モジュールの各々は、どの時点においてもインスタンス化される必要はない。例えば、モジュールがソフトウェアを用いて構成される汎用ハードウェアプロセッサを有する場合、当該汎用ハードウェアプロセッサは、異なる時点において、それぞれ異なるモジュールとして構成されてよい。ソフトウェアは、例えば、ある時点における特定のモジュールを構築するように、および、異なる時点における異なるモジュールを構築するように、ハードウェアプロセッサを適切に構成してよい。
【００６１】
通信デバイス（例えば、コンピュータシステム）４００は、ハードウェアプロセッサ４０２（例えば、中央処理装置（ＣＰＵ）、グラフィック処理装置（ＧＰＵ）、ハードウェアプロセッサコア、またはこれらの任意の組み合わせ）、メインメモリ４０４およびスタティックメモリ４０６を含んでよく、これらのうちの一部または全部は、インターリンク（例えば、バス）４０８を介して、互いに通信してよい。さらに、通信デバイス４００は、ディスプレイユニット４１０、英数字入力デバイス４１２（例えば、キーボード）およびユーザインタフェース（ＵＩ）ナビゲーションデバイス４１４（例えば、マウス）を含んでよい。一例において、ディスプレイユニット４１０、入力デバイス４１２およびＵＩナビゲーションデバイス４１４は、タッチスクリーンディスプレイであってよい。通信デバイス４００は、ストレージデバイス（例えば、ドライブユニット）４１６、信号生成デバイス４１８（例えば、スピーカ）、ネットワークインタフェースデバイス４２０、および全地球測位システム（ＧＰＳ）センサ、コンパス、加速度計または他のセンサ等の１または複数のセンサ４２１を追加的に含んでよい。通信デバイス４００は、シリアル（例えば、ユニバーサルシリアルバス（ＵＳＢ））接続、パラレル接続、または、他の有線接続若しくは無線接続（例えば、赤外線（ＩＲ）、近距離無線通信（ＮＦＣ）等）等の１または複数の周辺デバイス（例えば、プリンタ、カードリーダ等）と通信するための若しくはそれらを制御するための出力コントローラ４２８を含んでよい。
【００６２】
ストレージデバイス４１６は、通信デバイス可読媒体４２２を含んでよく、当該通信デバイス可読媒体４２２上には、本明細書に記載の技術または機能のうちの任意の１または複数を具現化する、またはそれらによって用いられるデータ構造または命令４２４（例えば、ソフトウェア）のうちの１または複数のセットが格納される。また、命令４２４は、メインメモリ４０４内に、スタティックメモリ４０６内に、または通信デバイス４００による命令の実行中はハードウェアプロセッサ４０２内に、完全にまたは少なくとも部分的に存在してよい。一例においては、ハードウェアプロセッサ４０２、メインメモリ４０４、スタティックメモリ４０６、またはストレージデバイス４１６のうちの１つまたは任意の組み合わせが、通信デバイス可読媒体を構成してよい。
【００６３】
通信デバイス可読媒体４２２は、単一の媒体として示されている一方、「通信デバイス可読媒体」という用語は、１または複数の命令４２４を格納するように構成された単一の媒体または複数の媒体（例えば、集中データベースまたは分散データベース、および／または関連付けられたキャッシュおよびサーバ）を含んでよい。
【００６４】
「通信デバイス可読媒体」という用語は、通信デバイス４００によって実行され且つ通信デバイス４００に対し、本開示の技術のうちの任意の１または複数を実行させる命令を格納、エンコーディングまたは搬送可能な任意の媒体を含んでよく、または、「通信デバイス可読媒体」という用語は、このような命令によって使用される若しくはこのような命令に関連付けられたデータ構造を格納、エンコーディングまたは搬送可能な任意の媒体を含んでよい。非限定的な通信デバイス可読媒体の例としては、ソリッドステートメモリ、並びに光媒体および磁気媒体が含まれてよい。通信デバイス可読媒体の具体例としては、例えば、半導体メモリデバイス（例えば、電気的プログラマブルリードオンリメモリ（ＥＰＲＯＭ）、電気的消去可能プログラマブルリードオンリメモリ（ＥＥＰＲＯＭ））およびフラッシュメモリデバイス等の不揮発性メモリ、内蔵ハードディスクおよびリムーバブルディスク等の磁気ディスク、光磁気ディスク、ランダムアクセスメモリ（ＲＡＭ）、並びにＣＤ‐ＲＯＭおよびＤＶＤ‐ＲＯＭディスクが含まれてよい。いくつかの例において、通信デバイス可読媒体には、非一時的通信デバイス可読媒体が含まれてよい。いくつかの例において、通信デバイス可読媒体には、一時伝搬信号ではない通信デバイス可読媒体が含まれてよい。
【００６５】
さらに、命令４２４は、複数の転送プロトコル（例えば、フレームリレー、インターネットプロトコル（ＩＰ）、伝送制御プロトコル（ＴＣＰ）、ユーザデータグラムプロトコル（ＵＤＰ）、ハイパーテキスト転送プロトコル（ＨＴＴＰ）等）のうちの任意の１つを使用して、ネットワークインタフェースデバイス４２０を介し、送信媒体を用いて通信ネットワーク４２６経由で送信または受信されてよい。例示的な通信ネットワークとしては、とりわけ、ローカルエリアネットワーク（ＬＡＮ）、ワイドエリアネットワーク（ＷＡＮ）、パケットデータネットワーク（例えば、インターネット）、携帯電話ネットワーク（例えば、セルラネットワーク）、基本電話（ＰＯＴＳ）ネットワーク、および無線データネットワーク（例えば、Ｗｉ‐Ｆｉ（登録商標）として知られる米国電気電子学会（ＩＥＥＥ）８０２．１１ファミリ規格、ＷｉＭａｘ（登録商標）として知られるＩＥＥＥ８０２．１６ファミリ規格）、ＩＥＥＥ８０２．１５．４ファミリ規格、ロングタームエボリューション（ＬＴＥ）ファミリ規格、ユニバーサル移動体通信システム（ＵＭＴＳ）ファミリ規格、ピアツーピア（Ｐ２Ｐ）ネットワークが含まれてよい。一例において、ネットワークインタフェースデバイス４２０は、１または複数の物理ジャック（例えば、イーサネット（登録商標）ジャック、同軸ジャックまたは電話ジャック）、または通信ネットワーク４２６に接続される１または複数のアンテナを含んでよい。一例において、ネットワークインタフェースデバイス４２０は、ＳＩＭＯ（ｓｉｎｇｌｅ‐ｉｎｐｕｔ  ｍｕｌｔｉｐｌｅ‐ｏｕｔｐｕｔ）、ＭＩＭＯ、またはＭＩＳＯ（ｍｕｌｔｉｐｌｅ‐ｉｎｐｕｔ  ｓｉｎｇｌｅ‐ｏｕｔｐｕｔ）技術のうちの少なくとも１つを用いて無線通信するための複数のアンテナを含んでよい。いくつかの例において、ネットワークインタフェースデバイス４２０は、マルチユーザＭＩＭＯ技術を用いて無線通信してよい。「送信媒体」という用語は、通信デバイス４００による実行のための命令を格納、エンコーディングまたは搬送可能で且つデジタル通信信号若しくはアナログ通信信号を含む任意の無形の媒体、またはこのようなソフトウェアの通信を容易にするための他の無形の媒体を含むものとして理解されるべきである。
【００６６】
ここで、次世代ＰＳＳ（本明細書において、ｘＰＳＳと言う）を生成する方法に加え、ｘＰＳＳの繰り返される送信スキームおよびスタンドアロンシステムまたは非スタンドアロンシステムのためのｘＰＳＳ送信の構成について、説明する。図５は、いくつかの実施形態によるプライマリ同期信号を含むシステム帯域幅を示す。図５は、有効システム帯域幅５０２の最小システム帯域幅５０４内のｘＰＳＳ送信を示す。概して、ｘＰＳＳ送信５１０は、次世代システム（例えば、５Ｇシステム）において定義されるような、最小システム帯域幅５０４をサポートしてよく、これは、周波数および時間における予め定められた位置に配置されることにより、ＵＥが割り当てられた帯域幅の事前知識がない状態で、ネットワークと同期することを可能にする。いくつかの実施形態において、ｘＰＳＳ送信帯域幅５０６は、キャリア間干渉を最小化すべく、最小システム帯域幅５０４より小さくてよい。いくつかの実施形態において、システム帯域幅５０２内の残りのサブキャリア５２０は、ｘＰＳＳ送信５１０のリンクバジェットを改善すべく、パワースペクトル密度（ＰＳＤ）ブースティングのために未使用のままにされてよい。ＤＣサブキャリア５１２は、ｘＰＳＳ送信の中心に配置されてよい。いくつかの実施形態において、未使用のサブキャリア５１４が、ｘＰＳＳ送信５１０とＰＳＤサブキャリア５２０との間に配置されてよい。いくつかの実施形態において、ｘＰＳＳ送信５１０を形成するシーケンス（例えば、Ｚａｄｏｆｆ‐Ｃｈｕ（ＺＣ）シーケンス）の巡回拡大５１６が、ｘＰＳＳ送信５１０の一端に使用されてよい。巡回拡大５１６は、いずれの終端に使用されてもよく、ＺＣシーケンスをｘＰＳＳ送信５１０の他端にコピーしてよい。
【００６７】
ｘＰＳＳ送信を記述するための複数のパラメータが使用されてよい。これらのパラメータには、システムの最小システム帯域幅（ＢＷｍｉｎ,ｓｙｓ）、ｘＰＳＳ送信の占有帯域幅（ＢＷＰＳＳ）、標準送信のサブキャリア間隔（Δｆｓｃ）、ｘＰＳＳ送信のサブキャリア間隔（ΔｆＰＳＳ,ＳＣ）、ｘＰＳＳ送信の占有帯域幅内のサブキャリア合計数（ＮＰＳＳ）、奇数値または素数であってよいＺＣシーケンスの長さ（ＮＺＣ）が含まれる。通常、ｘＰＳＳ送信のサブキャリア間隔は、標準送信のアグリゲートされたサブキャリア、すなわち、ΔｆＰＳＳ,ＳＣ＝Ｋ・Δｆｓｃであってよく、ここでＫはアグリゲーションレベルである。ｘＰＳＳ送信の占有帯域幅内のサブキャリア合計数（ＮＰＳＳ）は、例えば、
【数１】
2018520528.tif 000003
または
【数２】
2018520528.tif 000004
によって示されてよい。例えば、ＢＷＰＳＳ＝１８ＭＨｚ、ΔｆＰＳＳ,ＳＣ＝３００ＫＨｚおよびＮＰＳＳ＝６０である。
【００６８】
いくつかの実施形態において、ＺＣシーケンスの１つの要素が、ＤＣサブキャリア上での送信を回避すべく、パンクチャされてよい。いくつかの実施形態において、ＺＣシーケンスの長さ（ＮＺＣ）が、ＢＷＰＳＳ５０６内のｘＰＳＳ送信の占有帯域幅内のサブキャリア合計数（ＮＰＳＳ）より小さい場合、ＢＷＰＳＳ５０６の端部にある未使用のサブキャリア５１４は未使用のままにされてよい。すなわち、ｘＰＳＳ５０６を囲み、最小システム帯域幅５０４を形成する当該複数のサブキャリア５１４は、未使用のままであってよく、ＰＳＤブースティングサブキャリア５２０と、ｘＰＳＳ  ５０６との間にバッファを供給する。この実施形態において、ｘＰＳＳシーケンスは、以下の通り生成されてよい。
【数３】
2018520528.tif 000005
ここで、μはルートインデックスであり、ルートインデックスは固定であってよく、または物理セル識別情報の関数として若しくはプライマリセル（Ｐｃｅｌｌ）若しくはセカンダリセル（Ｓｃｅｌｌ）のいずれかからの上位レイヤによって構成（例えば、ＲＲＣ接続再構成メッセージといったＲＲＣメッセージを通して等）される仮想識別情報として定義されてよい。Ｐｃｅｌｌは、ＵＥが、初期接続確立プロシージャを実行するか、若しくは接続再確立プロシージャを開始するセル、またはハンドオーバプロシージャにおいてプライマリセルとして示されるセルであってよい。Ｐｃｅｌｌは、ＵＥのセキュリティパラメータ等の非アクセス層（ＮＡＳ）情報のソースであってよい。ＰＣｅｌｌは、プライマリ周波数で動作してよく、そして、各ＳＣｅｌｌは、セカンダリ周波数で動作してよく、セカンダリ周波数は、ＲＲＣ接続が確立されると構成されてよく、追加の無線リソースを供給するために使用されてよい。
【００６９】
さらに、ｘＰＳＳ生成のリソースエレメントに対するシーケンスのマッピングは、以下の通り、定義されてよい。
【数４】
2018520528.tif 000006
ここで、ａｋは、ｋ番目のサブキャリア上で送信されるｘＰＳＳシンボルであり、ｋ＝０,１,...，ＮＰＳＳ−１である。また、 
【数５】
2018520528.tif 000007
の場合のリソースエレメントは、ガードサブキャリアとして予約されてよく、ｘＰＳＳシンボルの送信に使用されなくてよい。
【００７０】
一例において、ＢＷｍｉｎ，ｓｙｓ＝２０ＭＨｚ、ＢＷＰＳＳ＝１８ＭＨｚ、ΔｆＳＣ＝７５ｋＨｚ、ｋ＝４の場合、ｘＰＳＳ送信の占有ＢＷ内のサブキャリア合計数ＮＰＳＳ＝６０である。ＺＣシーケンスの長さは、ＮＺＣ＝５７として定義されてよく、ｘＰＳＳシンボルは、以下の通り、生成されてよい。
【数６】
2018520528.tif 000008
ｘＰＳＳシンボルのリソースエレメントに対するシーケンスのマッピングは、以下の通り、定義されてよい。
【数７】
2018520528.tif 000009
ここで、サブキャリアｋ＝０，１，５８，５９はガードサブキャリアとして予約されてよく、ｘＰＳＳシンボルの送信に使用されなくてよい。
【００７１】
いくつかの実施形態において、ＺＣシーケンスの長さが、ｘＰＳＳ送信帯域幅５０６内のサブキャリア数より小さい場合、ＺＣシーケンスの巡回拡大５１６が、ｘＰＳＳ生成に使用されてよい。同様に、ＺＣシーケンスの１つの要素は、ＤＣサブキャリア５１２のためにパンクチャされてよい。
【００７２】
この実施形態においては、ｘＰＳＳシーケンスは、以下の通り、生成されてよい。
【数８】
2018520528.tif 000010
ここで、ａｋは、ｋ番目のサブキャリア上で送信されるｘＰＳＳシンボルであり、ｋ＝０,１,...，ＮＰＳＳ−１である。また、ｘｕ（ｎ）は、以下の通り、生成されてよい。
【数９】
2018520528.tif 000011
ここで、μはルートインデックスであり、ルートインデックスは固定であってよく、または物理セル識別情報の関数として若しくはＰｃｅｌｌ若しくはＳｃｅｌｌのいずれかからの上位レイヤによって構成される仮想識別情報として定義されてよい。
【００７３】
上記の例において、ＢＷｍｉｎ，ｓｙｓ＝２０ＭＨｚ、ＢＷＰＳＳ＝１８ＭＨｚ、ΔｆＳＣ＝７５ｋＨｚ、ｋ＝４の場合、ｘＰＳＳ送信の占有ＢＷ内のサブキャリア合計数ＮＰＳＳ＝６０である。ＺＣシーケンスの長さは、ＮＺＣ＝５７として定義されてよく、ｘＰＳＳシンボルは、以下の通り、生成されてよい。
【数１０】
2018520528.tif 000012
ここで、
【数１１】
2018520528.tif 000013
【００７４】
いくつかの実施形態において、ＺＣシーケンスの長さが、ｘＰＳＳ送信帯域幅５０６内のサブキャリア数より大きいまたはそれに等しい場合、ＺＣシーケンス内の１または複数の要素が、ｘＰＳＳシンボル生成のためにパンクチャされてよい。同様に、ＺＣシーケンスの１つの要素が、ＤＣサブキャリア５１２の生成のためにパンクチャされてよい。この実施形態においては、ｘＰＳＳシーケンスは、以下の通り生成されてよい。
【数１２】
2018520528.tif 000014
ここで、ａｋは、ｋ番目のサブキャリア上で送信されるｘＰＳＳシンボルであり、ｋ＝０,１,...，ＮＰＳＳ−１である。  ｘｕ（ｎ）は、以下の通り、生成されてよい。
【数１３】
2018520528.tif 000015
【００７５】
上記の例において、ＢＷｍｉｎ，ｓｙｓ＝２０ＭＨｚ、ＢＷＰＳＳ＝１８ＭＨｚ、ΔｆＳＣ＝７５ｋＨｚ、ｋ＝４の場合、ｘＰＳＳ送信の占有ＢＷ内のサブキャリア合計数ＮＰＳＳ＝６０である。ＺＣシーケンスの長さは、ＮＺＣ＝６１として定義されてよく、ｘＰＳＳシンボルは、以下の通り、生成されてよい。
【数１４】
2018520528.tif 000016
ここで、
【数１５】
2018520528.tif 000017
【００７６】
時間ドメインにおいて繰り返されるｘＰＳＳ信号の生成に関しては、いくつかの実施形態においては、短縮されたＯＦＤＭシンボルを生成するために、より大きなサブキャリア間隔が使用されてよい。その後、リンクバジェットを改善すべく、短縮されたｘＰＳＳが繰り返されてよい。同一のものまたはサンプリングレートの整数を維持するためには、Ｎｒｅｐ＝２Ｎを指定することが望ましくてよく、ここで、Ｎ＞１は整数である。上記の例において、ΔｆＳＣ＝７５ｋＨｚであり、アグリゲートされたサブキャリア数Ｋ＝８の場合、アグリゲートされたサブキャリア間隔は、ΔｆＳＣ＝Ｋ・ΔｆＳＣ＝６００ｋＨｚとして与えられてよい。短縮されたシンボルは、ＯＦＤＭシンボル持続時間／Ｋであり、短縮されたシンボルが、ｘＰＳＳ送信のためにＮｒｅｐ回繰り返されてよい。
【００７７】
いくつかの実施形態において、インタリーブされた周波数分割多重接続（ＩＦＤＭＡ）信号構造が採用され、時間ドメインにおいて繰り返されるｘＰＳＳ信号を生成してよい。特に、ｘＰＳＳシンボルは、周波数ドメインにおいてＫ個のサブキャリアおきにマッピングされてよい一方、残りのサブキャリアはゼロに設定される。Ｎｒｅｐの繰り返し係数（ＲＰＦ）を持つこのＩＦＤＭＡ構造が、時間ドメインにおいてＮｒｅｐ個の繰り返されるブロックを生成してよい。上記の実施形態と同様に、いくつかの実施形態において、同一のものまたはサンプリングレートの整数を維持するためには、Ｎｒｅｐ＝２Ｎであり、ここでＮ＞１は整数である。一例において、Ｎｒｅｐ＝２の場合、ｘＰＳＳシンボルは、すべての偶数サブキャリアにマッピングされてよく、それによって、時間ドメインにおいて２個の繰り返されるブロックを生成する。
【００７８】
リンクバジェットを改善し且つセンチ波（ｃｍＷａｖｅ）およびミリ波（ｍｍＷａｖｅ）帯域における損失を補償すべく、ｘＰＳＳ信号のビームフォーミングされる送信または繰り返される送信のいずれかが使用されてよい。図６は、いくつかの実施形態によるプライマリ同期信号を示す。いくつかの実施形態において、ＣＰ６０２は、１または複数のｘＰＳＳシンボル６１０を含むｘＰＳＳ送信６００の開始にのみ挿入されてよい。ＣＰ６０２の長さは、短縮されたシンボル持続時間およびｘＰＳＳ信号送信６００の全持続時間、およびシステムにおいて拡張ＣＰまたは標準ＣＰのいずれが使用されるかどうかに基づいて判断されてよい。図示の通り、ＣＰを収容すべく、ｘＰＳＳシンボル６１０のすべてが、同一量だけ短縮されてよく、またはｘＰＳＳシンボル６１０は、可能性は低いが、異なる量だけ短縮されてよい。後者の場合の一実施形態においては、第１のｘＰＳＳシンボル６１０のみが短縮されてよい。
【００７９】
いくつかの実施形態において、短縮されたｘＰＳＳシンボル６１０が、ｘＰＳＳシンボル６１０の各々のために使用されてよい。これらの実施形態においては、ＣＰ６０２は、各短縮されたｘＰＳＳシンボル６１０に挿入されてよい。この実施形態は、ｘＰＳＳの短縮されたシンボル６１０が、複数のアグリゲートされたサブキャリアに基づいて生成される場合に適切であってよい。
【００８０】
ＣＰ６０２が、各短縮されたｘＰＳＳシンボル６１０に挿入される実施形態においては、アグリゲートされたサブキャリア数は、Ｋによって示されてよい。上記の例において、ΔｆＳＣ＝７５ｋＨｚ、標準送信のシンボル持続時間Ｔｓｙｍ＝１３．３．μｓ、およびｘＰＳＳ送信の繰り返し回数Ｎｒｅｐ＝８である。様々な例において、Ｋ＝１（ｘＰＳＳは、データシンボルと同一数のサブキャリアにわたる）の場合、ｘＰＳＳは、１３．３μｓであってよく、繰り返しが８個のＯＦＤＭシンボルにわたり且つＣＰ長が７．５μｓである。Ｋ＝８の場合、短縮されたｘＰＳＳシンボル持続時間ＴｘＰＳＳ＝Ｔｓｙｍ／Ｋ＝１．６７μｓであり、全ｘＰＳＳ繰り返しは、１個のＯＦＤＭシンボルにわたってよく、ＣＰ長は０．９４μｓであってよい。Ｋ＝４の場合、短縮されたｘＰＳＳシンボル持続時間ＴｘＰＳＳ＝３．３３μｓであり、全ｘＰＳＳ繰り返しは、２個のＯＦＤＭシンボルにわたってよく、ＣＰ長は１．８８μｓであってよい。
【００８１】
非スタンドアロンシステムの場合、ｘＰＳＳ送信の送信に関する情報は、上位レイヤシグナリング（例えば、システム情報ブロードキャスト（ＳＩＢ）またはＲＲＣシグナリング）によって構成されてよく、ＵＥ固有の専用のＲＲＣシグナリングを介してＰｃｅｌｌから送信されてよい。ｘＰＳＳ送信の構成は、次のパラメータ、すなわち、ビームフォーミングされるｘＰＳＳ送信または繰り返されるｘＰＳＳ送信の指標、ｘＰＳＳ送信の送信のためのＰＳＤブースティングの指標、ｘＰＳＳ送信の周期性、アグリゲーションレベルおよび繰り返しレベル、並びに標準ＣＰまたは拡張ＣＰの指標、のうちの少なくとも１つを含んでよい。
【００８２】
具体的には、ビームフォーミングされるｘＰＳＳ送信または繰り返されるｘＰＳＳ送信の指標は、また、ＦＤＤ、ＴＤＤまたは非校正アンテナを用いるＴＤＤがシステム内で使用されるかどうかに関連してよい。ｘＰＳＳ送信の送信のためのＰＳＤブースティングが示される場合、ｘＰＳＳ送信のリンクバジェットを改善すべく、システム帯域幅内のｘＰＳＳシンボル上の残りのサブキャリアは未使用のままにされてよい。さらに、データまたは制御チャネルの送信のために、レートマッチングまたはパンクチャのいずれかがシンボルに対し適用されてよい。ｘＰＳＳ送信の周期性、アグリゲーションレベル、および繰り返しレベルは、ｘＰＳＳ送信の送信に対する柔軟性を提供してよい。ｘＰＳＳ検出に関するＵＥの可能な能力、例えば、ＵＥ側のアンテナ数に応じ、ｅＮＢは、当該パラメータ（周期性、アグリゲーションレベルおよび繰り返しレベル）のうちの１または複数を調整して、効率的なビームフォーミング取得を可能にしてよい。標準ＣＰまたは拡張ＣＰの指標は、Ｓｃｅｌｌでの適用を示してよい。この情報がＵＥ側で利用可能な場合、より迅速な同期およびビームフォーミング取得が達成されてよく、それにより、ＵＥの電力消費量を低減する。
【００８３】
ｘＰＳＳ送信に加え、構成可能な５Ｇセカンダリ同期信号（ｘＳＳＳ）送信、５Ｇセカンダリ‐同期チャネル（ｘＳ‐ＳＣＨ）送信および５Ｇシステムのためのチャネル設計および送信方法が提供されてよい。いくつかの実施形態において、同期チャネルのための一般的なデータ構造は、ｎ個の同期信号（ｘＰＳＳ送信またはｘＳＳＳ送信のいずれか）を含んでよい。いくつかの実施形態において、同期信号の後にデータ信号が続いてよい。一例において、２つの同期信号が存在してよい。ＳＳ＃０はｘＰＳＳ送信であってよく、ＳＳ＃１はｘＳＳＳ送信（またはｘＳ‐ＳＣＨ送信）であってよい。別の例においては、１つの同期信号のみが存在してよい。ＳＳ＃０はｘＰＳＳ送信であってよく、データ信号はｘＳ‐ＳＣＨ送信であってよい。別の例においては、データ信号なしで、２つのＳＳが存在してよい。ＳＳ＃０はｘＰＳＳ送信であってよく、ＳＳ＃１はｘＳＳＳ送信であってよい。
【００８４】
上記の通り、３つのｘＰＳＳシーケンスは、セルの各グループ内の３つの物理レイヤ識別情報に対応してよい。ＳＳＳは、物理レイヤセル識別情報グループを搬送してよく、それにより、ＵＥが両方の値を使用して、セル識別情報を判断できるようにする。ｘＳＳＳシーケンスは、ＳＳＣ１コードおよびＳＳＣ２コードを含み、それらは単一の長さ３１のＭシーケンスの異なる循環シフトを有する。各ｘＳＳＳシーケンスは、周波数ドメインにおいて、２つの長さ３１のＢＰＳＫ変調されたセカンダリ同期コードをインタリーブすることによって構築されてよい。ｘＳＳＳコードは、各無線フレーム内で第１のｘＳＳＳ送信と第２のｘＳＳＳ送信とが交互になってよく、それにより、ＵＥがｘＳＳＳ送信の単一の観測から、無線フレームタイミングを判断できるようにする。
【００８５】
いくつかの実施形態において、異なるｘＰＳＳコード／シーケンスは、異なるビームフォーミングインデックスを表わしてよい。ビームはＵＥに透過的であってよい一方、ＵＥは、メモリ内に格納された、シーケンスの相関を可能にするための検出されたシーケンスを有してよい。ＵＥがｘＰＳＳ送信の受信に応答して、ＡＣＫ等のシーケンスを含むフィードバックをｅＮＢに送信した後、ｅＮＢは、各ビームに一意のフィードバックシーケンスおよびビームとシーケンスとの間の関係に関する知識に基づいて、どのビームがＵＥによって検出されたかを判断可能であってよい。
【００８６】
いくつかの実施形態において、ｅＮＢで、同一の全方向性ｘＰＳＳ送信が繰り返し送信（全方向性アンテナを使用して）され、ＵＥが、当該繰り返しの送信にわたり、コヒーレント結合若しくは非コヒーレント結合を実行する、またはビームサーチを実行することを可能にしてよい。
【００８７】
いくつかの実施形態において、ｅＮＢで、同一のｘＰＳＳ送信が繰り返されてよいが、全方向性送信ではなく、ビームフォーミングが使用されてよい。特に、リンクバジェットを改善し且つカバレッジ損失を補償すべく、各繰り返しに対し、異なる送信ビームフォーミングがｅＮＢによって適用されてよい。この場合、ｘＳＳＳ送信は、各繰り返しにおいて異なってよく、これにより、ＵＥが、送信ビームフォーミング情報を取得し且つ異なるｘＳＳＳ送信間を区別できるようにする。ｘＳＳＳ送信情報を取得したＵＥは、ＡＣＫまたは他のフィードバックでシーケンスを含むｘＳＳＳ送信情報をｅＮＢに送信してよく、それにより、ｅＮＢが、どのビームがＵＥによって検出されたかを判断できるようにする。
【００８８】
いくつかの実施形態において、異なる全方向性ｘＰＳＳ送信信号が、繰り返される送信にわたり、ｅＮＢによって送信されてよい。ビームフォーミングされるｘＰＳＳ送信と同様に、異なるルートインデックスが、ＺＣシーケンスによって、各繰り返しのためのｘＰＳＳ送信を生成する際に使用されてよい。物理セル識別情報のための情報を搬送するために、限定セットのルートインデックスパターンが、仕様において予め定義されてよい。例えば、４回の繰り返しでは、当該セットのルートインデックスは、以下の通り、定義されてよい。セット＃１：｛１，２，３，４｝；セット＃２：｛５，６，７，８｝；およびセット＃３：｛９，１０，１１，１２｝。当該セットのルートインデックスは、上記の例に限定されなくてよく、上記の例においては、セット内のルートインデックスの数は、繰り返し回数と同一である。いくつかの実施形態において、繰り返し回数より多い数のルートインデックスが使用されてよい。特定の繰り返しで使用されるルートインデックスは、ランダムに選択されてよく、または各繰り返しセットに対し、連続的に選択されてよい。ルートインデックスが選択される方法は、繰り返しセット間で変更されてよい。いくつかの実施形態において、ルートインデックスの選択は、得られるＺＣシーケンスの自己相関および相互相関特性に依存してよい。ＺＣシーケンスは、周波数オフセットが存在する状態で、強固なタイミング同期性能をもたらすべく生成されてよい。ｘＳＳＳ送信信号は、全方向性送信またはビームフォーミング送信がそれぞれ適用されるかどうかに依り、各繰り返しにおいて同一または異なってよい。同期信号のバリエーションおよび送信タイプの概要が、以下の表１に記載されている。
【表１】
2018520528.tif 000018
【００８９】
いくつかの実施形態において、物理セルＩＤ情報または部分的な物理セルＩＤ情報が、シーケンスまたはチャネルによって搬送されてよい。情報がシーケンスによって搬送される実施形態においては、Ｘ個のシーケンスがｘＳＳＳまたはｘＳ‐ＳＣＨチャネル送信に対し定義される場合、各シーケンスを使用して、Ｙビットの情報を示してよい。例えば、４個のシーケンスが送信に対し定義される場合、シーケンス＃１の使用は、情報ビット００を示してよく、シーケンス＃２の使用は、情報ビット０１等を示してよい。故に、ｘＳＳＳ送信に用いられるシーケンスに埋め込まれた情報が、ＵＥによって、ｘＳＳＳ送信に用いられる特定シーケンスの正確な検出により、抽出されてよい。シーケンスによって搬送される合計情報量は限定されてよいので、これは、ｘＳＳＳ送信内の物理セル識別情報のサイズが比較的小さいとき、有益であってよい。例えば、ｘＳＳＳ送信は、物理セル識別情報の部分的な情報を搬送してよい。上記の通り、ｘＰＳＳ送信およびｘＳＳＳ送信の検出後、ＵＥは、物理セル識別情報を判断可能であってよい。いくつかの実施形態において、ｘＳＳＳ構造は、ＳＳＳの構造と類似してよい。
【００９０】
情報がチャネルによって搬送される実施形態においては、情報は、ＣＲＣを使用して付加された後、チャネルを生成するために用いられるチャネルコーディングによってエンコーディングされてよい。その後、変調が使用され、続けて、変調されたシンボルが、対応するリソースにマッピングされる。いくつかの実施形態において、情報は、専用の５Ｇ同期チャネル（ｘＳ‐ＳＣＨ送信）で送信されてよい。いくつかの実施形態において、情報は、上記のシーケンス／コードによって搬送されてよい。データフォーマットおよび送信スキームを含む詳細な設計が、本明細書に記載されている。示された一部または全部のパラメータが、ｘＳ‐ＳＣＨ送信の異なるフィールドに含まれてよい。パラメータは、物理セル識別情報、ビームフォーミングインデックス、時間インデックス、システム帯域幅、システムフレーム番号、ＴＤＤ構成情報およびＳＩＢ１スケジューリング情報を含んでよい。
【００９１】
物理セル識別情報フィールドは、物理セル識別情報のための部分的なまたは完全な情報を含んでよい。例えば、ｘＰＳＳ送信は、物理セル識別情報の３個の識別情報を搬送してよい一方、ｘＳ‐ＳＣＨ送信は、１６８個のグループのための情報を搬送してよい。
【００９２】
ビームフォーミングインデックスフィールドは、ビームフォーミングインデックスを含んでよい。ビームフォーミングインデックスは、ＵＥが、そのインスタンスに対し、どのビームフォーミングインデックスが送信機によって使用されたかを判断できるように、ｘＳ‐ＳＣＨ送信インスタンスに適用されてよい。各ビームフォーミングインデックスが一意のプリコーディングインデックスに対応するように、異なるビームフォーミングインデックスが、異なるプリコーディングインデックスに対応してよい。例えば、ビームフォーミングインデックス０、１、２、３は、プリコーディングインデックスｗ０、ｗ１、ｗ２、ｗ３に対応してよい。一般的に、ビームフォーミングインデックスとプリコーディングインデックスとの間のマッピング関係は、ｅＮＢ実装次第であってよい。例えば、上記のビームフォーミングインデックス０、１、２、３は、非プリコーディング（例えば、全方向性、または準全方向性送信）に対応してよい。
【００９３】
いくつかの実施形態において、単一のビームフォーミングインデックスが、ＵＥによって検出されてよい一方、他の実施形態においては、複数のビームフォーミングインデックスが、ＵＥによって検出されてよい。１または複数のビームフォーミングインデックスのいずれが、ＵＥによって検出されるかに関わらず、ＵＥは、検出されたビームフォーミングインデックスをｅＮＢに対し、フィードバック信号内で供給してよい。例えば、ＵＥが２つのビーム間（すなわち、各ビームフォーミング信号の相関が、予め定められた閾値パワーと一致する、またはそれを超える）のある方向に位置するシナリオにおいては、２または２より多い、好ましいビームフォーミングインデックスベースのフィードバック信号が使用されてよい。
【００９４】
時間インデックスフィールドは、時間インデックスを含んでよい。時間インデックスは、例えば、ＯＦＤＭシンボルレベルインデックス、スロット番号、サブフレーム番号、無線フレーム番号、またはそれらの任意の組み合わせであってよい。ｘＳ‐ＳＣＨ送信が予め定められる場合、これは常に予期されるところであるが、時間インデックスカウンタが使用され、どのｘＳ‐ＳＣＨ送信が送信されたかを指定してよい。上記の通り、ＵＥは、１または複数の検出（またはデコーディング）された時間インデックスを報告してよい。いくつかの実施形態において、ｅＮＢは、時間インデックスとビームフォーミングインデックスとの間の関係を自律的に選択してよく、それらのうちの一方または両方が、上記の通り、ＵＥによって報告されてよい。故に、ビームフォーミング情報は、ＵＥに対し透過的であってよい。
【００９５】
システム帯域幅フィールドは、５Ｇシステム帯域幅を示してよい。システムフレーム番号フィールドは、システムフレーム番号の部分的なまたは完全な情報を示してよい。いくつかの実施形態において、システムフレーム番号フィールドおよび時間インデックスフィールドは組み合わされてよい。ＴＤＤ構成フィールドは、ＴＤＤ構成情報を含んでよい。ＴＤＤ構成フィールドは、ダウンリンクおよびアップリンクトラフィックの動的制御を可能にしてよい。ＳＩＢ１のスケジューリング情報が、ＳＩＢスケジューリングフィールド内に含まれてよい。ＳＩＢスケジューリングフィールドは、時間および周波数ドメインにおけるスケジューリング情報、例えば、ＳＩＢ１送信の周期性および機会を含んでよい。
【００９６】
巡回冗長検査（ＣＲＣ）が、ｘＳ‐ＳＣＨ送信のペイロードに付加されてよい。様々な実施形態において、８、１６または２４個のパリティチェックビットが、ペイロードサイズに基づいて計算されてよい。ＴＳ３６．２１２［２］の節５．１．１で仕様化されているように、生成多項式ｇＣＲＣ８（Ｄ）、ｇＣＲＣ１６（Ｄ）、ｇＣＲＣ２４Ａ（Ｄ）およびｇＣＲＣ２４Ｂ（Ｄ）のうちの１つが、ｘＳ‐ＳＣＨ送信に採用されてよい。
【００９７】
ＬＴＥ仕様におけるテールバイティング畳み込み符号（ＴＢＣＣ）またはターボ符号（ＴＣ）のいずれかが、ｘＳ‐ＳＣＨ送信のチャネルコーディングに使用されてよい。ペイロードサイズが比較的小さい（例えば、＜１００ビット）場合、ＴＢＣＣがＴＣより性能が上回るため、ｘＳ‐ＳＣＨ送信に既存のＴＢＣＣを再利用することがより有益であってよい。チャネルコーディングプロセスが完了した後、レートマッチングが実行され、ｘＳ‐ＳＣＨ送信に割り当てられた利用可能なリソースエレメントを埋めてよい。チャネルコーディングおよびレートマッチングの後、スクランブリングが実行され、干渉をランダム化してよい。特に、スクランブリングシーケンスＣｉｎｉｔが、部分的な物理セル識別情報の関数として初期化されてよい。
【数１６】
2018520528.tif 000019
式中、ＮＩＤ（ｘＰＳＳ）は、ｘＰＳＳ送信で搬送される部分的な物理セル識別情報である。スクランブリングシーケンスを使用することで、異なるセルで使用されるシーケンスと、干渉との間の低い相互相関を保証してよい。
【００９８】
ｘＳ‐ＳＣＨ送信の堅牢な受信を保証すべく、バイナリ位相シフトキーイング（ＢＰＳＫ）または直交位相シフトキーイング（ＱＰＳＫ）のいずれかが変調に使用されてよい。さらに、異なる波形または複数のアクセススキームが、ｘＳ‐ＳＣＨ送信に使用されてよい。これらの例としては、シングルキャリア周波数分割多元接続（ＳＣ‐ＦＤＭＡ）、ＯＦＤＭＡ、フィルタバンクマルチキャリア（ＦＢＭＣ）、またはユニバーサルフィルタマルチキャリア（ＵＦＭＣ）が含まれる。ＵＥにおける効率的な受信機処理を可能にすべく、ｘＰＳＳ送信およびｘＳ‐ＳＣＨ送信の送信に対し、同一のアンテナポートが適用されてよい。この場合、ＵＥは、ｘＰＳＳ送信からビームフォーマ情報を取得し、この情報をｘＳ‐ＳＣＨ送信の受信に適用してよい。
【００９９】
様々な実施形態において、ｘＰＳＳ送信並びにｘＳＳＳ送信およびｘＳ‐ＳＣＨ送信のうちの１つは、周波数分割多重（ＦＤＭ）、時分割多重（ＴＤＭ）または符号分割多重（ＣＤＭ）方式で多重化されてよい。ｘＳ‐ＳＣＨ送信が送信される場合、ｘＳ‐ＳＣＨ送信のコヒーレント検出を可能にすべく、予め定められたセットのパイロットシンボルが、ｘＳ‐ＳＣＨ送信に割り当てられるＯＦＤＭシンボルに挿入されてよい。
【０１００】
ｅＮＢは、ｘＰＳＳ、ｘＳＳＳおよびｘＳ‐ＳＣＨ送信のうちの１または複数に対する完全な制御を有してよく、同期信号またはチャネルの構成可能な便宜的（ｏｐｐｏｒｔｕｎｉｓｔｉｃ）送信を可能にする。セル内のデータトラフィックに応じて、ｅＮＢは、ｘＰＳＳおよびｘＳＳＳまたはｘＳ‐ＳＣＨ送信のオン／オフパターンまたはオーバヘッドを動的に調整してよい。
【０１０１】
ＵＥは、ｘＰＳＳ並びにｘＳＳＳ送信および／またはｘＳ‐ＳＣＨ送信のデコードおよび検出を試行してよい。当該検出およびデコーディングは、閾値の検出またはＣＲＣチェックに基づいてよい。一例において、ｘＰＳＳ送信およびｘＳＳＳ送信またはｘＳ‐ＳＣＨ送信は、完全にロードされてよい。つまり、異なるセルが同時に送信してよく、その結果、異なるセルからのｘＰＳＳ送信およびｘＳＳＳ送信またはｘＳ‐ＳＣＨ送信は重複してよい。
【０１０２】
図７は、いくつかの実施形態による、完全にロードされた同期信号およびチャネルを示す。図７に示される通り、ｅＮＢは、いくつかのセル７０２、７０４、７０６を使用して、ｘＰＳＳ送信およびｘＳＳＳ送信７１２（便宜上、ｘＰＳＳ送信と示されている）またはｘＳ‐ＳＣＨ送信７１４を送信してよい。完全にロードされるものして図示される通り、ｘＰＳＳ送信およびｘＳＳＳ送信７１２および／またはｘＳ‐ＳＣＨ送信７１４の送信は、繰り返しの間、セル７０２、７０４、７０６間で競合（または重複）してよい。図７に示される通り、例えば、ｘＰＳＳ送信７１２の各々は、セル７０２、７０４、７０６間で競合し、ｘＳ‐ＳＣＨ送信７１４の各々は、繰り返しの間、競合する。セル７０２、７０４、７０６は、異なるｘＰＳＳ送信シーケンスを同一時間インスタンスで送信し、ＵＥが、ｘＰＳＳ送信およびｘＳＳＳ送信７１２またはｘＳ‐ＳＣＨ送信７１４間を区別できるようにしてよい。例えば、セル＃０  ７０２は、ｘＰＳＳ１を送信してよく、セル＃１  ７０４は、ｘＰＳＳ２を送信してよく、セル＃２  ７０６は、ｘＰＳＳ送信３を送信してよい。ｘＰＳＳ送信７１２の持続時間は、例えば、ＯＦＤＭシンボル、スロット、サブフレームまたはフレームで測定されてよい。上記の通り、ｘＳ‐ＳＣＨ送信７１４は、とりわけ、セルＩＤ、時間インデックス、およびサブフレームおよび／またはスロット番号を含んでよい。
【０１０３】
図８は、いくつかの実施形態による同期信号およびチャネル送信を示す。図８中、ｅＮＢは、セル間の同期信号またはチャネルの送信のオン／オフパターンを動的に調整してよい。これにより、ｅＮＢが、ｘＰＳＳ送信およびｘＳＳＳ送信８１２またはｘＳ‐ＳＣＨ送信８１４が、セル８０２、８０４、８０６間で重複するかどうかを制御できるようにしてよい。また、これにより、ｅＮＢが、異なる時間位置で信号を送信することによって、異なるセル（送信ポイント）からの異なる同期信号による干渉回避を制御できるようにしてよい。同期信号（ｘＰＳＳ送信およびｘＳＳＳ送信）または同期チャネル（ｘＳ‐ＳＣＨ送信）の送信が、セル８０２、８０４、８０６間で競合しない（すなわち、時間的に重複しない）場合、同一のｘＰＳＳ送信シーケンス（ｘＰＳＳ１）が、セル８０２、８０４、８０６内でｅＮＢによって送信されてよい。
【０１０４】
いくつかの実施形態において、ｅＮＢは、セル８０２、８０４、８０６間で競合が発生しないように、送信を制御してよい。いくつかの実施形態において、ｅＮＢは、いくつかの競合が発生するように、送信を制御してよい。図８に示される通り、ｘＰＳＳ送信およびｘＳＳＳ送信８１２またはｘＳ‐ＳＣＨ送信８１４の送信は、セル８０２およびセル８０８間で競合してよい。この場合、セル８０２およびセル８０８は、それぞれｘＰＳＳ１およびｘＰＳＳ２と示される通り、異なるｘＰＳＳ送信シーケンスを送信して、ｘＰＳＳ送信およびｘＳＳＳ送信８１２のうちの一方または両方を受信するＵＥが、ｘＰＳＳ送信およびｘＳＳＳ送信８１２間を区別できるようにしてよい。いくつかの実施形態において、セル８０２、８０４、８０６間で競合が発生しないにも関わらず、ｘＰＳＳ送信および／またはｘＳＳＳ送信８１２は、これらのセル８０２、８０４、８０６間で異なってよい。
【０１０５】
図９は、いくつかの実施形態による同期のフローチャートを示す。図１〜４のいずれかに示されるｅＮＢは、図９に示されるフローチャートを使用してよく、図１〜４のＵＥは類似の処理を使用する。処理９０２において、ｅＮＢは、ｘＰＳＳ送信を構成し、この情報をＵＥに送信してよい。当該情報は、ＵＥ固有の専用ＲＲＣシグナリングを介して、Ｐｃｅｌｌから構成および送信されてよい。ｘＰＳＳ信号の構成は、ビームフォーミングされるｘＰＳＳ送信または繰り返されるｘＰＳＳ送信のいずれが使用されているかの指標、ｘＰＳＳ送信の送信のためにＰＳＤブースティングが使用されていることの指標、標準ＣＰまたは拡張ＣＰのいずれが使用されているかの指標、並びにｘＰＳＳ送信の周期性、アグリゲーションレベルおよび繰り返しレベルのうちの少なくとも１つを含んでよい。
【０１０６】
ｘＰＳＳ送信帯域幅は、キャリア間干渉を最小化すべく、最小システム帯域幅より小さくてよい。当該システム帯域幅内の残りのサブキャリアは、ＰＳＤブースティングに使用されてよい。ＤＣサブキャリアが、ｘＰＳＳ送信の中心に配置されてよい。ＺＣシーケンスの長さが、ｘＰＳＳ送信の占有帯域幅内のサブキャリア合計数より小さい場合、未使用のサブキャリアは、ｘＰＳＳ送信とＰＳＤサブキャリアとの間に配置されたガードサブキャリアであってよい。いくつかの実施形態において、ＺＣシーケンスの巡回拡大が、ｘＰＳＳ送信の一端で使用されてよい。ＺＣシーケンスの長さが、ｘＰＳＳ送信帯域幅内のサブキャリア数より大きいまたはそれに等しい場合、ＺＣシーケンス内の１または複数の要素が、ｘＰＳＳシンボル生成のために、パンクチャされてよい。
【０１０７】
ｘＰＳＳ送信は、複数のｘＰＳＳシンボルを含んでよい。サイクリックプレフィックスが、各ｘＰＳＳシンボルの前に、または第１のｘＰＳＳシンボルの前のみに配置されてよい。各ｘＰＳＳシンボルは、複数のアグリゲートされたサブキャリアを占有し、当該アグリゲートされたサブキャリア数に反比例する長さを有してよい。代替的に、ｘＰＳＳ送信は、ｘＰＳＳシンボルが周波数ドメインにおいてＫ個のサブキャリアおきにマッピングされるＩＦＤＭＡ信号構造を有してよい。ｘＰＳＳ送信は、Ｋ回繰り返されてよい。
【０１０８】
ｘＰＳＳを構成し、この情報をＵＥに送信したら、処理９０４において、ＰＣｅｌｌのｅＮＢは、ｘＳＳＳおよび／またはｘＳ‐ＳＣＨ送信を構成してよい。一般的なデータ構造には、予め定められた数のｘＰＳＳおよびｘＳＳＳ送信またはｘＳ‐ＳＣＨ送信のうちの１つが含まれてよい。
【０１０９】
処理９０４において、ｅＮＢは、周波数ドメインにおいて、２つの長さ３１のＢＰＳＫ変調セカンダリ同期コードをインタリーブするｘＳＳＳシーケンスを構築してよい。ｅＮＢは、繰り返される全方向性送信またはビームフォーミングされる送信のための同期構造を構築してよい。全方向性送信については、ｘＳＳＳ送信は、同一のまま若しくは異なったままであってよく、ｘＰＳＳ送信は、同一であってよく（例えば、ＵＥに、繰り返される送信の間、コヒーレント結合または非コヒーレント結合を実行できるようにするため）、または、ＵＥが複数の繰り返し間を区別できるようにするため、異なってもよい。
【０１１０】
同様に、ビームフォーミングされる送信については、繰り返されるｘＳＳＳ送信のインスタンスは、異なってよく、繰り返されるｘＰＳＳ送信のインスタンスは、同一であってよく、または異なってもよい。ビームフォーミングされる送信インスタンス間の差異により、ＵＥが、どのビームフォーミングされる送信が検出されたかを判断できるようにしてよい。ｘＳＳＳ送信は、シーケンス内に埋め込まれた部分的な物理セル識別情報を含んでよい。ｘＳ‐ＳＣＨ送信は、物理セル識別情報、ビームフォーミングインデックス、時間インデックスおよび／またはシステムフレーム番号、システム帯域幅、ＴＤＤ構成情報およびＳＩＢ１スケジューリング情報のうちの１または複数を含んでよい。ｘＳ‐ＳＣＨ送信は、ｘＳ‐ＳＣＨ送信のペイロードに付加されたＣＲＣを含んでよい。
【０１１１】
処理９０６において、ｅＮＢは、予め定められ時間において且つ予め定められたサブバンドにおいて、同期信号をブロードキャストしてよい。上記の通り、ブロードキャストは、送信の構造に依り、繰り返され、またはビームフォーミングされてよい。ｅＮＢは、ｘＰＳＳおよびｘＳＳＳまたはｘＳ‐ＳＣＨのうちの１または複数が重複するように、異なるセルで送信してよく、この場合、異なるシーケンスが、同一の重複する同期信号の各々のために送信されてよい。ｘＰＳＳおよびｘＳＳＳまたはｘＳ‐ＳＣＨのいずれもが、セル間で重複しない場合、同一のシーケンスが、当該セル間で使用されてよい。
【０１１２】
処理９０８において、ｅＮＢは、ＵＥによって送信されるフィードバックを受信してよい。フィードバックは、ＵＥが同期送信を受信したことを示すＡＣＫ信号または物理ランダムアクセス信号（ＰＲＡＣＨ）であってよい。
【０１１３】
処理９１０において、ｅＮＢは、フィードバックが同期パラメータを含むかどうかを判断してよい。同期パラメータは、ｘＰＳＳ、ｘＳＳＳおよび／またはｘＳ‐ＳＣＨ情報を含んでよく、同期パラメータは、上記の通り、ＵＥにより受信されるビームフォーミングインデックスまたは繰り返しを判断するために使用されてよい。フィードバック内のパラメータは、例えば、１または複数のビームフォーミングインデックスおよび時間インデックスおよび／またはシステムフレーム番号のうちの１または複数を含んでよい。
【０１１４】
処理９１２において、ｅＮＢが、フィードバックがビームフォーミング情報を含むと判断した場合、処理９１４において、ｅＮＢは、ビームフォーミングトレーニングを実行してよい。ｅＮＢにある複数の送信アンテナは、異なる位相偏移を異なるアンテナで送信されるべき信号に適用することによって、送信ビーム方向全体を調整してよい。当該調整は、ＵＥのフィードバックに基づいてよい。
【０１１５】
ビームフォーミングが使用されるかどうかに関わらず、処理９１６において、ｅＮＢは、ＵＥとの通信を続行してよい。例えば、ｅＮＢは、ｘＳＳを介する同期の後、ＵＥがｅＮＢと同期した後、当該ＵＥ宛てのＰＤＣＣＨおよびＰＤＳＣＨを送信してよい。同様に、ＵＥは、ＰＵＣＣＨおよびＰＵＳＣＨをｅＮＢに送信してよい。
【０１１６】
例１は、進化型ＮｏｄｅＢ（ｅＮＢ）と通信するように構成された送受信機と、処理回路と、を備える、ユーザ機器（ＵＥ）の装置であって、上記処理回路は、上記送受信機が、プライマリ同期信号（ｘＰＳＳ）送信並びに上記ｘＰＳＳ送信後に、セカンダリ同期信号（ｘＳＳＳ）および同期チャネル（ｘＳ‐ＳＣＨ）送信のうちの１つを受信するように構成し、物理レイヤセルＩＤを取得し且つ上記ｘＰＳＳ送信を使用して上記ｅＮＢとの同期を達成し、上記ｅＮＢとの同期の達成後に、上記送受信機が、上記ｅＮＢと通信するように構成するように構成されており、上記ｘＰＳＳ送信は、各々が、ＰＳＳサブキャリア間隔に、ある整数を掛け合わせたｘＰＳＳサブキャリア間隔と、ＰＳＳ持続時間を上記整数で割ったｘＰＳＳ持続時間と、を有する複数（Ｎｒｅｐ）のｘＰＳＳシンボル、および非ｘＰＳＳシンボルによって分離されるｘＰＳＳシンボルのセットを有するインタリーブされた周波数分割多重接続（ＩＦＤＭＡ）構造、のうちの１つを有する、装置である。
【０１１７】
例２においては、例１に係る主題が、随意で、上記ｘＰＳＳ送信は、各々が、ＰＳＳシンボルのＰＳＳサブキャリア間隔のＫ倍のｘＰＳＳサブキャリア間隔と、上記ＰＳＳシンボルをＫで割ったＰＳＳ持続時間のｘＰＳＳ持続時間と、を有する複数（Ｎｒｅｐ）のｘＰＳＳシンボルであって、Ｎｒｅｐは１より大きい整数である、複数（Ｎｒｅｐ）のｘＰＳＳシンボル、および時間ドメインにおいて、繰り返されるｘＰＳＳ送信シンボルを生成するＩＦＤＭＡ構造であって、上記ｘＰＳＳ送信シンボルは、周波数ドメインにおいてＫ個のサブキャリアおきにマッピングされ、残りのサブキャリアはゼロに設定され、Ｋ＝２Ｎ且つＮは１より大きい整数である、ＩＦＤＭＡ構造、のうちの１つを有する、ことを含む。
【０１１８】
例３においては、例１および２に係る任意の１または複数の主題が、随意で、上記ｘＰＳＳ送信は、最小システム帯域幅より小さい帯域幅を有し、上記ｘＰＳＳ送信を形成するＺａｄｏｆｆ‐Ｃｈｕ（ＺＣ）シーケンスの巡回拡大が、上記ｘＰＳＳ送信の一端に配置され、上記ＺＣシーケンスの要素が、上記ｘＰＳＳ送信の中心に配置される直流サブキャリア上の送信を回避すべく、パンクチャされる、ことを含む。
【０１１９】
例４において、例１から３に係る任意の１または複数の主題が、随意で、上記ｘＰＳＳ送信は、最小システム帯域幅より小さい帯域幅を有し、上記最小システム帯域幅内で、パワースペクトル密度（ＰＳＤ）サブキャリアが、上記ｘＰＳＳ送信のＰＳＤブースティングサラウンドサブキャリアのために使用され、上記ｘＰＳＳ送信を形成するＺａｄｏｆｆ‐Ｃｈｕ（ＺＣ）シーケンスの長さ（ＮＺＣ）が、上記ｘＰＳＳ送信の占有帯域幅内のサブキャリア合計数（ＮＰＳＳ）より小さく、上記ｘＰＳＳ送信と上記ＰＳＤサブキャリアとの間に配置されるガードサブキャリアは、上記ＰＳＤサブキャリアと上記ｘＰＳＳ送信との間で未使用のままにされる、ことを含む。
【０１２０】
例５においては、例１から４に係る任意の１または複数の主題が、随意で、上記ｘＰＳＳ送信は、最小システム帯域幅より小さい帯域幅を有し、上記最小システム帯域幅内で、パワースペクトル密度（ＰＳＤ）サブキャリアが、上記ｘＰＳＳ送信のＰＳＤブースティングサラウンドサブキャリアのために使用され、上記ｘＰＳＳ送信を形成するＺａｄｏｆｆ‐Ｃｈｕ（ＺＣ）シーケンスの巡回拡大が、上記ｘＰＳＳ送信の一端に配置され、上記ＺＣシーケンスの長さ（ＮＺＣ）が、上記ｘＰＳＳ送信の占有帯域幅内のサブキャリア合計数（ＮＰＳＳ）より小さく、上記ｘＰＳＳ送信と上記ＰＳＤサブキャリアとの間に配置されるガードサブキャリアは、上記ＰＳＤサブキャリアと上記ｘＰＳＳ送信との間で未使用のままにされる、ことを含む。
【０１２１】
例６において、例１から５に係る任意の１または複数の主題が、随意で、上記ｘＰＳＳ送信は、最小システム帯域幅より小さい帯域幅を有し、上記最小システム帯域幅内で、パワースペクトル密度（ＰＳＤ）サブキャリアが、上記ｘＰＳＳ送信のＰＳＤブースティングサラウンドサブキャリアのために使用され、上記Ｚａｄｏｆｆ‐Ｃｈｕ（ＺＣ）シーケンスの長さ（ＮＺＣ）が、少なくとも、上記ｘＰＳＳ送信の占有帯域幅内のサブキャリア合計数（ＮＰＳＳ）であり、上記ＺＣシーケンスの少なくとも１つの要素が、ｘＰＳＳ送信シンボル生成のためにパンクチャされ、上記ＺＣシーケンスの要素が、上記ｘＰＳＳ送信の中心に配置される直流サブキャリア上の送信を回避すべく、パンクチャされる、ことを含む。
【０１２２】
例７において、例１から６に係る任意の１または複数の主題が、随意で、上記ｘＰＳＳ送信は、最小システム帯域幅より小さい帯域幅を有する、サイクリックプレフィックス（ＣＰ）が、上記ｘＰＳＳシンボルのうちの第１のシンボルに配置され、上記ｘＰＳＳ送信内の残りのｘＰＳＳ送信シンボルは、上記ＣＰを含んでおらず、上記ＣＰの長さは、上記ｘＰＳＳ持続時間、上記ｘＰＳＳ送信の全持続時間並びに拡張ＣＰおよび標準ＣＰのどちらが使用されるかに基づく、ＣＰが、上記ｘＰＳＳシンボルの各々に配置され、上記ＣＰの長さは、上記ｘＰＳＳ持続時間、上記ｘＰＳＳ送信の全持続時間並びに拡張ＣＰおよび標準ＣＰのどちらが使用されるかに基づく、のうちの１つである、ことを含む。
【０１２３】
例８において、例１から７に係る任意の１または複数の主題が、随意で、上記処理回路は、さらに、上記送受信機が、ＵＥ固有の専用無線リソース制御（ＲＲＣ）シグナリングを介して、プライマリセル（Ｐｃｅｌｌ）から、上記ｘＰＳＳ送信に関する情報を受信するように構成するように構成されており、上記情報は、上記ｘＰＳＳ送信が、ビームフォーミングされるｘＰＳＳ送信または繰り返されるｘＰＳＳ送信の１つであるかどうかの指標、パワースペクトル密度（ＰＳＤ）ブースティングが上記ｘＰＳＳ送信に使用されているかどうかの指標、サイクリックプレフィックス（ＣＰ）が上記ｘＰＳＳ送信に使用されるかどうかの指標、および上記ＣＰのタイプ、並びに上記ｘＰＳＳ送信の周期性、アグリゲーションレベル（Ｋ）および繰り返しレベル、のうちの少なくとも１つを含む、ことを含む。
【０１２４】
例９において、例１から８に係る任意の１または複数の主題が、随意で、上記処理回路は、さらに、上記送受信機が、複数のｘＰＳＳ送信並びに上記ｘＰＳＳ送信の後、ｘＳＳＳ送信およびｘＳ‐ＳＣＨ送信のうちの１つを連続的に受信するように構成する、ように構成されている、ことを含む。
【０１２５】
例１０において、例１から９に係る任意の１または複数の主題が、随意で、上記処理回路は、さらに、上記送受信機が、複数の連続的な同期インスタンスを受信するように構成するように構成されており、各同期インスタンスは、ｘＰＳＳ送信およびセカンダリ同期信号（ｘＳＳＳ）送信を有し、同期チャネル（ｘＳ‐ＳＣＨ）送信を有していない、ことを含む。
【０１２６】
例１１において、例９および１０に係る任意の１または複数の主題が、随意で、上記同期インスタンスは、全方向性信号、およびビームフォーミングされる信号、のうちの１つを有し、上記全方向性信号の各々は、同一のｘＰＳＳ送信並びにｘＳＳＳ送信およびｘＳ‐ＳＣＨ送信のうちの異なるもの、および異なるｘＰＳＳ送信並びにｘＳＳＳ送信およびｘＳ‐ＳＣＨ送信のうちの同一のもの、のうちの１つを含み、上記ビームフォーミングされる信号の各々は、同一のｘＰＳＳ送信並びにｘＳＳＳ送信およびｘＳ‐ＳＣＨ送信のうちの異なるもの、異なるｘＰＳＳ送信並びにｘＳＳＳ送信およびｘＳ‐ＳＣＨ送信のうちの異なるもの、のうちの１つを含む、ことを含む。
【０１２７】
例１２は、例１から１１に係る任意の１または複数の主題が、随意で、少なくとも部分的な物理セル情報が、上記ｘＳＳＳ送信および上記ｘＳ‐ＳＣＨ送信のうちの上記１つのために用いられるシーケンスに埋め込まれ、上記処理回路は、さらに、上記シーケンスを正確に判断することによって、上記少なくとも部分的な物理セル情報を抽出する、ように構成されている、ことを含む。
【０１２８】
例１３において、例１から１２に係る任意の１または複数の主題が、随意で、上記ｘＰＳＳ送信並びにセカンダリ同期信号（ｘＳＳＳ）送信および同期チャネル（ｘＳ‐ＳＣＨ）送信のうちの少なくとも１つは、周波数分割多重（ＦＤＭ）方式、時分割多重（ＴＤＭ）方式および符号分割多重（ＣＤＭ）方式のうちの１つで多重化される、ことを含む。
【０１２９】
例１４において、例１から１３に係る任意の１または複数の主題が、随意で、さらに、上記送受信機と上記ｅＮＢとの間の通信を供給するように構成されたアンテナをさらに備える、ことを含む。
【０１３０】
例１５は、ユーザ機器（ＵＥ）と通信するように構成されたインタフェースと、処理回路と、を備える、進化型ＮｏｄｅＢ（ｅＮＢ）の装置であって、上記処理回路は、上記ｅＮＢによってサービングされる複数のセルの各セルのために、送受信機が、上記セルのサブフレーム内で、複数のプライマリ同期信号（ｘＰＳＳ）送信並びに上記ｘＰＳＳ送信後に、セカンダリ同期信号（ｘＳＳＳ）および同期チャネル（ｘＳ‐ＳＣＨ）送信のうちの１つを送信するように構成し、各ｘＰＳＳ送信は、全方向性ｘＰＳＳ送信およびビームフォーミングされるｘＰＳＳ送信のうちの１つを有しており、上記送受信機が、上記ｘＰＳＳ送信の送信後に、上記ＵＥと通信するように構成する、ように構成されている、装置である。
【０１３１】
例１６において、例１５の主題は、随意で、上記処理回路は、さらに、上記送受信機が、上記サブフレーム内で、複数の全方向性同期信号（ｘＳＳ）送信およびビームフォーミングされるｘＳＳ送信を送信するように構成するように構成されており、各全方向性ｘＳＳ送信は、同一のｘＰＳＳ送信並びにｘＳＳＳ送信およびｘＳ‐ＳＣＨ送信のうちの異なるもの、および異なるｘＰＳＳ送信並びにｘＳＳＳ送信およびｘＳ‐ＳＣＨ送信のうちの同一のもの、のうちの１つを有し、ビームフォーミングされる信号の各々は、同一のｘＰＳＳ送信並びにｘＳＳＳ送信およびｘＳ‐ＳＣＨ送信のうちの異なるもの、および異なるｘＰＳＳ送信並びにｘＳＳＳ送信およびｘＳ‐ＳＣＨ送信のうちの異なるものであって、ここにおいて、異なるｘＰＳＳコードのうちの１つおよびシーケンスが、異なるビームフォーミングインデックスを表わす、もの、のうちの１つを有する、ことを含む。
【０１３２】
例１７において、例１５および１６に係る任意の１または複数の主題が、随意で、上記処理回路は、さらに、少なくとも部分的な物理セル情報を、上記ｘＳＳＳ送信および上記ｘＳ‐ＳＣＨ送信のうちの上記１つのために用いられるシーケンスに埋め込むように構成されている、ことを含む。
【０１３３】
例１８において、例１５から１７に係る任意の１または複数の主題が、随意で、上記処理回路は、さらに、上記ｘＰＳＳ送信並びにセカンダリ同期信号（ｘＳＳＳ）送信および同期チャネル（ｘＳ‐ＳＣＨ）送信のうちの少なくとも１つを、周波数分割多重（ＦＤＭ）、時分割多重（ＴＤＭ）および符号分割多重（ＣＤＭ）のうちの１つを用いて多重化するように構成されている、ことを含む。
【０１３４】
例１９は、例１５から１８に係る任意の１または複数の主題が、随意で、同期チャネル（ｘＳ‐ＳＣＨ）送信は、物理セル識別情報、ビームフォーミングインデックス、時間インデックス関数、システム帯域幅、システムフレーム番号、ＴＤＤ構成情報、システム情報ブロック（ＳＩＢ１）のスケジューリング情報のための情報を含み、上記処理回路は、さらに、上記ｘＳ‐ＳＣＨ送信のペイロードの後に、８、１６および２４ビットのうちの１つを有する巡回冗長検査（ＣＲＣ）を付加し、上記ｘＳ‐ＳＣＨ送信のチャネルコーディングにおいて、テールバイティング畳み込み符号（ＴＢＣＣ）およびターボ符号（ＴＣ）のうちの１つを使用し、上記チャネルコーディング後に、レートマッチングを実行して、上記ｘＳ‐ＳＣＨに割り当てられる利用可能なリソースエレメントを埋め、上記チャネルコーディングおよびレートマッチングの実行後に、上記ｘＳ‐ＳＣＨ送信をスクランブリングし、上記ｘＰＳＳ送信で搬送される物理セルＩＤの関数に基づいて、スクランブリングシーケンスを初期化する、ように構成されている、ことを含む。
【０１３５】
例２０において、例１５から１９に係る任意の１または複数の主題が、随意で、上記処理回路は、さらに、上記送受信機が、上記セル内のロード状態に基づいて、各セル内の上記ｘＰＳＳ送信並びにセカンダリ同期信号（ｘＳＳＳ）送信および同期チャネル（ｘＳ‐ＳＣＨ）送信のうちの少なくとも１つのためのオン／オフパターンを動的に調整するように構成する、ように構成されている、ことを含む。
【０１３６】
例２１において、例１５から２０に係る任意の１または複数の主題が、随意で、上記処理回路は、さらに、上記送受信機が、異なるセル内の上記ｘＰＳＳ送信並びに上記ｘＳＳＳ送信および上記ｘＳ‐ＳＣＨ送信のうちの上記少なくとも１つが異なっており且つ同時に送信される、完全にロードされた同期信号およびチャネル送信、および異なるセル内の上記ｘＰＳＳ送信並びに上記ｘＳＳＳ送信および上記ｘＳ‐ＳＣＨ送信のうちの上記少なくとも１つが同一であり且つ非重複時間において送信される、便宜的同期信号およびチャネル送信、のうちの少なくとも１つを送信するように構成する、ように構成されている、ことを含む。
【０１３７】
例２２において、例１５から２１に係る任意の１または複数の主題が、随意で、各ｘＰＳＳ送信は、最小システム帯域幅より小さい帯域幅と、ｘＰＳＳ送信構造と、を有し、上記ｘＰＳＳ送信構造は、各々がＰＳＳシンボルのＰＳＳサブキャリア間隔のＫ倍のｘＰＳＳサブキャリア間隔と、上記ＰＳＳシンボルをＫで割ったＰＳＳ持続時間のｘＰＳＳ持続時間と、を有する複数（Ｎｒｅｐ）のｘＰＳＳシンボルを有し、ここで、Ｎｒｅｐは１より大きい整数であり、上記最小システム帯域幅内で、パワースペクトル密度（ＰＳＤ）サブキャリアが、上記ｘＰＳＳ送信のＰＳＤブースティングサラウンドサブキャリアのために使用され、ＺＣシーケンスの要素が、上記ｘＰＳＳ送信の中心に配置される直流サブキャリア上の送信を回避すべく、パンクチャされる、ことを含む。
【０１３８】
例２３において、例２１および２２に係る任意の１または複数の主題が、随意で、ａ）上記ｘＰＳＳ送信を形成するＺａｄｏｆｆ‐Ｃｈｕ（ＺＣ）シーケンスの長さ（ＮＺＣ）が、上記ｘＰＳＳ送信の占有帯域幅内のサブキャリア合計数（ＮＰＳＳ）より小さく、且つ上記ｘＰＳＳ送信と上記ＰＳＤサブキャリアとの間に配置されるガードサブキャリアは、上記ＰＳＤサブキャリアと上記ｘＰＳＳ送信との間で未使用のままにされ、巡回拡大を搬送する、およびｂ）上記ＺＣシーケンスの長さ（ＮＺＣ）が、少なくとも、上記ｘＰＳＳ送信の上記占有帯域幅内のサブキャリア合計数（ＮＰＳＳ）であり、且つ上記ＺＣシーケンス内の少なくとも１つの要素が、ｘＰＳＳ送信シンボル生成のためにパンクチャされる、のうちの一方である、ことを含む。
【０１３９】
例２４は、進化型ＮｏｄｅＢ（ｅＮＢ）と通信するためのユーザ機器（ＵＥ）の１または複数のプロセッサによって実行される命令を格納するコンピュータ可読記録媒体であって、上記１または複数のプロセッサは、上記ＵＥが、プライマリ同期信号（ｘＰＳＳ）送信並びにセカンダリ同期信号（ｘＳＳＳ）送信および同期チャネル（ｘＳ‐ＳＣＨ）送信のうちの少なくとも１つを受信し、物理レイヤセルＩＤを取得し且つ上記ｘＰＳＳ送信並びに上記ｘＳＳＳ送信および上記ｘＳ‐ＳＣＨ送信のうちの上記少なくとも１つを用いて、上記ｅＮＢとの同期を達成し、上記ｅＮＢとの同期が達成された後、上記ｅＮＢと通信する、ように構成し、上記ｘＰＳＳ送信は、各々が、ＰＳＳシンボルのＰＳＳサブキャリア間隔のＫ倍のｘＰＳＳサブキャリア間隔と、上記ＰＳＳシンボルをＫで割ったＰＳＳ持続時間のｘＰＳＳ送信持続時間と、を有する複数（Ｎｒｅｐ）のｘＰＳＳシンボルを有する繰り返される構造を有するｘＰＳＳ構造を有し、ここで、Ｎｒｅｐは１より大きい整数である、コンピュータ可読記録媒体である。
【０１４０】
例２５において、例２４の主題は、随意で、各ｘＰＳＳ送信は、最小システム帯域幅より小さい帯域幅を有し、パワースペクトル密度（ＰＳＤ）サブキャリアが、上記ｘＰＳＳ送信のＰＳＤブースティングサラウンドサブキャリアのために使用され、Ｚａｄｏｆｆ‐Ｃｈｕ（ＺＣ）シーケンスの要素が、上記ｘＰＳＳ送信の中心に配置される直流サブキャリア上の送信を回避すべく、パンクチャされ、並びにａ）上記ｘＰＳＳ送信を形成するＺａｄｏｆｆ‐Ｃｈｕ（ＺＣ）シーケンスの長さ（ＮＺＣ）が、上記ｘＰＳＳ送信の占有帯域幅内のサブキャリア合計数（ＮＰＳＳ）より小さく、且つ上記ｘＰＳＳ送信と上記ＰＳＤサブキャリアとの間に配置されるガードサブキャリアが、上記ＰＳＤサブキャリアと上記ｘＰＳＳ送信との間で未使用のままにされ、巡回拡大を搬送する、ｂ）上記ＺＣシーケンスの長さ（ＮＺＣ）が、少なくとも、上記ｘＰＳＳ送信の上記占有帯域幅内の上記サブキャリア合計数（ＮＰＳＳ）であり、且つ上記ＺＣシーケンス内の少なくとも１つの要素が、ｘＰＳＳ送信シンボル生成のためにパンクチャされる、のうちの一方である、ことを含む。
【０１４１】
実施形態は、具体的な例示的実施形態に関して記載されているが、本開示のより広範な精神および範囲から逸脱することなく、これらの実施形態に対し、種々の修正および変更を加え得ることは明らかであろう。従って、明細書および図面は、限定的ではなく、例示的な意味であるとみなされるべきである。本願の一部を形成する添付図面は、限定ではなく例示として、発明主題が実施され得る具体的な実施形態を示している。図示された実施形態は、当業者が本明細書に開示された教示を実施できるように、十分詳細に記載されている。他の実施形態が用いられてよく、他の実施形態が当該教示から導かれてよいので、本開示の範囲から逸脱することなく、構造的および論理的な置換および変更がなされてよい。従って、本詳細な説明は、限定的な意味に解釈されるべきではなく、様々な実施形態の範囲は、添付の特許請求の範囲によってのみ規定され、それには、特許請求の範囲に付与される均等の全範囲も含まれる。
【０１４２】
本発明の主題に係るこのような実施形態は、本明細書においては、個別におよび／またはまとめて、「発明」という用語で言及されることがあるが、それは単に便宜上にすぎず、実際１つより多いものが開示される場合に、本願の範囲を自発的にいずれかの単一の発明または発明概念に限定する意図はない。故に、本明細書において、具体的な実施形態が図示され、説明されているが、同一の目的を達成すると思われるあらゆる構成が、示された当該具体的な実施形態に置き替えられてよいことを理解されたい。本開示は、様々な実施形態のありとあらゆる変更またはバリエーションを包含する意図である。上記説明に接した当業者には、上記実施形態の組み合わせ、および本明細書に具体的に記載されていない他の実施形態が、自明であろう。
【０１４３】
この文書において、「１つ（ａ）」または「１つ（ａｎ）」という用語は、特許文献において一般的であるように、「少なくとも１つ」または「１または複数」に係るあらゆる他の例または使用とは独立して、１つまたは１つより多いものを含むために使用されている。この文書において、「または」という用語は、非排他的論理和を言及するために使用されており、その結果、「ＡまたはＢ」は、別途の記載がない限り、「ＢではないＡ」、「ＡではないＢ」および「ＡおよびＢ」を含むように使用されている。この文書において、「含む（ｉｎｃｌｕｄｉｎｇ）」および「その場合（ｉｎ  ｗｈｉｃｈ）」という用語は、「備える（ｃｏｍｐｒｉｓｉｎｇ）」および「そこにおいて（ｗｈｅｒｅｉｎ）」というそれぞれの用語に対する同等の平易な言い方として使用されている。また、以降の特許請求の範囲においては、「含む（ｉｎｃｌｕｄｉｎｇ）」および「備える（ｃｏｍｐｒｉｓｉｎｇ）」という用語はオープンエンドであり、すなわち、請求項内で、このような用語の後に列挙された要素に加え、複数の要素を含むシステム、ＵＥ、物品、組成物、製法、またはプロセスは、依然としてその請求項の範囲に属するとみなされる。さらに、以下の特許請求の範囲において、「第１の」、「第２の」および「第３の」等の用語は単にラベルとして使用されており、それらのオブジェクトに対し、数的要件を課すことを意図していない。
【０１４４】
本開示の要約は、米国特許法施行規則§１．７２（ｂ）に準拠して記載されている。米国特許規則§１．７２（ｂ）では、要約書に、読み手が迅速に技術開示の内容を特定できることを要求している。要約書は、請求項の範囲またはその意味の解釈または限定に使用されないという理解の下、提出されている。また、上記の詳細な説明においては、本開示を簡素化する目的で、様々な特徴部が単一の実施形態に一緒に集められていることがわかるであろう。この開示方法は、特許請求された実施形態が、各請求項に明示的に記載された特徴部よりも多いものを要求するという意図を反映するように解釈されるべきではない。むしろ、以下の特許請求の範囲が反映するように、発明の主題は、開示された単一の実施形態に係るすべての特徴部より少ないもので成立する。故に、以下の特許請求の範囲がここで詳細な説明に組み込まれ、各請求項は、別個の実施形態として独立している。
【図１】
2018520528.tif 000020
【図２】
2018520528.tif 000021
【図３】
2018520528.tif 000022
【図４】
2018520528.tif 000023
【図５】
2018520528.tif 000024
【図６】
2018520528.tif 000025
【図７】
2018520528.tif 000026
【図８】
2018520528.tif 000027
【図９】
2018520528.tif 000028
【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
進化型ＮｏｄｅＢ（ｅＮＢ）と通信する送受信機と、
処理回路と、を備える、ユーザ機器（ＵＥ）の装置であって、
前記処理回路は、
前記送受信機が、プライマリ同期信号（ｘＰＳＳ）送信並びに前記ｘＰＳＳ送信後に、セカンダリ同期信号（ｘＳＳＳ）送信および同期チャネル（ｘＳ‐ＳＣＨ）送信のうちの１つを受信するように構成し、
物理レイヤセルＩＤを取得し且つ前記ｘＰＳＳ送信を使用して前記ｅＮＢとの同期を達成し、
前記ｅＮＢとの同期の達成後に、前記送受信機が、前記ｅＮＢと通信するように構成し、
前記ｘＰＳＳ送信は、
各々が、ＰＳＳサブキャリア間隔に、ある整数を掛け合わせたｘＰＳＳサブキャリア間隔と、ＰＳＳ持続時間を前記整数で割ったｘＰＳＳ持続時間と、を有する複数（Ｎｒｅｐ）のｘＰＳＳシンボル、および
非ｘＰＳＳシンボルによって分離されるｘＰＳＳシンボルのセットを有するインタリーブされた周波数分割多重接続（ＩＦＤＭＡ）構造、のうちの１つを有する、装置。
【請求項２】
前記ｘＰＳＳ送信は、
各々が、ＰＳＳシンボルのＰＳＳサブキャリア間隔のＫ倍のｘＰＳＳサブキャリア間隔と、前記ＰＳＳシンボルをＫで割ったＰＳＳ持続時間のｘＰＳＳ持続時間と、を有する複数（Ｎｒｅｐ）のｘＰＳＳシンボルであって、Ｎｒｅｐは１より大きい整数である、複数（Ｎｒｅｐ）のｘＰＳＳシンボル、および
時間ドメインにおいて、繰り返されるｘＰＳＳ送信シンボルを生成するＩＦＤＭＡ構造であって、前記ｘＰＳＳ送信シンボルは、周波数ドメインにおいてＫ個のサブキャリアおきにマッピングされ、残りのサブキャリアはゼロに設定され、Ｋ＝２Ｎ且つＮは１より大きい整数である、ＩＦＤＭＡ構造、
のうちの１つを有する、請求項１に記載の装置。
【請求項３】
前記ｘＰＳＳ送信は、最小システム帯域幅より小さい帯域幅を有し、
前記ｘＰＳＳ送信を形成するＺａｄｏｆｆ‐Ｃｈｕ（ＺＣ）シーケンスの巡回拡大が、前記ｘＰＳＳ送信の一端に配置され、
前記ＺＣシーケンスの要素が、前記ｘＰＳＳ送信の中心に配置される直流サブキャリア上の送信を回避すべく、パンクチャされる、請求項１に記載の装置。
【請求項４】
前記ｘＰＳＳ送信は、最小システム帯域幅より小さい帯域幅を有し、
前記最小システム帯域幅内で、パワースペクトル密度（ＰＳＤ）サブキャリアが、前記ｘＰＳＳ送信のＰＳＤブースティングサラウンドサブキャリアのために使用され、
前記ｘＰＳＳ送信を形成するＺａｄｏｆｆ‐Ｃｈｕ（ＺＣ）シーケンスの長さ（ＮＺＣ）が、前記ｘＰＳＳ送信の占有帯域幅内のサブキャリア合計数（ＮＰＳＳ）より小さく、
前記ｘＰＳＳ送信と前記ＰＳＤサブキャリアとの間に配置されるガードサブキャリアは、前記ＰＳＤサブキャリアと前記ｘＰＳＳ送信との間で未使用のままにされる、請求項１または２に記載の装置。
【請求項５】
前記ｘＰＳＳ送信は、最小システム帯域幅より小さい帯域幅を有し、
前記最小システム帯域幅内で、パワースペクトル密度（ＰＳＤ）サブキャリアが、前記ｘＰＳＳ送信のＰＳＤブースティングサラウンドサブキャリアのために使用され、
前記ｘＰＳＳ送信を形成するＺａｄｏｆｆ‐Ｃｈｕ（ＺＣ）シーケンスの巡回拡大が、前記ｘＰＳＳ送信の一端に配置され、
前記ＺＣシーケンスの長さ（ＮＺＣ）が、前記ｘＰＳＳ送信の占有帯域幅内のサブキャリア合計数（ＮＰＳＳ）より小さく、
前記ｘＰＳＳ送信と前記ＰＳＤサブキャリアとの間に配置されるガードサブキャリアは、前記ＰＳＤサブキャリアと前記ｘＰＳＳ送信との間で未使用のままにされる、請求項１または２に記載の装置。
【請求項６】
前記ｘＰＳＳ送信は、最小システム帯域幅より小さい帯域幅を有し、
前記最小システム帯域幅内で、パワースペクトル密度（ＰＳＤ）サブキャリアが、前記ｘＰＳＳ送信のＰＳＤブースティングサラウンドサブキャリアのために使用され、
Ｚａｄｏｆｆ‐Ｃｈｕ（ＺＣ）シーケンスの長さ（ＮＺＣ）が、少なくとも、前記ｘＰＳＳ送信の占有帯域幅内のサブキャリア合計数（ＮＰＳＳ）であり、
前記ＺＣシーケンスの少なくとも１つの要素が、ｘＰＳＳ送信シンボル生成のためにパンクチャされ、
前記ＺＣシーケンスの要素が、前記ｘＰＳＳ送信の中心に配置される直流サブキャリア上の送信を回避すべく、パンクチャされる、請求項１または２に記載の装置。
【請求項７】
前記ｘＰＳＳ送信は、最小システム帯域幅より小さい帯域幅を有する、
サイクリックプレフィックス（ＣＰ）が、前記ｘＰＳＳシンボルのうちの第１のシンボルに配置され、前記ｘＰＳＳ送信内の残りのｘＰＳＳ送信シンボルは、前記ＣＰを含んでおらず、前記ＣＰの長さは、前記ｘＰＳＳ持続時間、前記ｘＰＳＳ送信の全持続時間並びに拡張ＣＰおよび標準ＣＰのどちらが使用されるかに基づく、
ＣＰが、前記ｘＰＳＳシンボルの各々に配置され、前記ＣＰの長さは、前記ｘＰＳＳ持続時間、前記ｘＰＳＳ送信の全持続時間並びに拡張ＣＰおよび標準ＣＰのどちらが使用されるかに基づく
のうちの１つである、請求項１または２に記載の装置。
【請求項８】
前記処理回路は、さらに、
前記送受信機が、ＵＥ固有の専用無線リソース制御（ＲＲＣ）シグナリングを介して、プライマリセル（Ｐｃｅｌｌ）から、前記ｘＰＳＳ送信に関する情報を受信するように構成し、
前記情報は、前記ｘＰＳＳ送信が、ビームフォーミングされるｘＰＳＳ送信または繰り返されるｘＰＳＳ送信の１つであるかどうかの指標、パワースペクトル密度（ＰＳＤ）ブースティングが前記ｘＰＳＳ送信に使用されているかどうかの指標、サイクリックプレフィックス（ＣＰ）が前記ｘＰＳＳ送信に使用されるかどうかの指標、および前記ＣＰのタイプ、並びに前記ｘＰＳＳ送信の周期性、アグリゲーションレベル（Ｋ）および繰り返しレベル、のうちの少なくとも１つを含む、請求項１または２に記載の装置。
【請求項９】
前記処理回路は、さらに、
前記送受信機が、複数のｘＰＳＳ送信並びに前記ｘＰＳＳ送信の後、ｘＳＳＳ送信およびｘＳ‐ＳＣＨ送信のうちの１つを連続的に受信するように構成する、請求項１または２に記載の装置。
【請求項１０】
前記処理回路は、さらに、
前記送受信機が、複数の連続的な同期インスタンスを受信するように構成し、
各同期インスタンスは、ｘＰＳＳ送信およびセカンダリ同期信号（ｘＳＳＳ）送信を有し、同期チャネル（ｘＳ‐ＳＣＨ）送信を有していない、請求項１または２に記載の装置。
【請求項１１】
同期インスタンスは、
全方向性信号、および
ビームフォーミングされる信号、のうちの１つを有し、
前記全方向性信号の各々は、
同一のｘＰＳＳ送信並びにｘＳＳＳ送信およびｘＳ‐ＳＣＨ送信のうちの異なるもの、および
異なるｘＰＳＳ送信並びにｘＳＳＳ送信およびｘＳ‐ＳＣＨ送信のうちの同一のもの、
のうちの１つを含み、
前記ビームフォーミングされる信号の各々は、
同一のｘＰＳＳ送信並びにｘＳＳＳ送信およびｘＳ‐ＳＣＨ送信のうちの異なるもの、
異なるｘＰＳＳ送信並びにｘＳＳＳ送信およびｘＳ‐ＳＣＨ送信のうちの異なるもの、
のうちの１つを含む、請求項９に記載の装置。
【請求項１２】
少なくとも部分的な物理セル情報が、前記ｘＳＳＳ送信および前記ｘＳ‐ＳＣＨ送信のうちの前記１つのために用いられるシーケンスに埋め込まれ、
前記処理回路は、さらに、前記シーケンスを正確に判断することによって、前記少なくとも部分的な物理セル情報を抽出する、請求項１または２に記載の装置。
【請求項１３】
前記ｘＰＳＳ送信並びにセカンダリ同期信号（ｘＳＳＳ）送信および同期チャネル（ｘＳ‐ＳＣＨ）送信のうちの少なくとも前記１つは、周波数分割多重（ＦＤＭ）方式、時分割多重（ＴＤＭ）方式および符号分割多重（ＣＤＭ）方式のうちの１つで多重化される、請求項１または２に記載の装置。
【請求項１４】
前記送受信機と前記ｅＮＢとの間の通信を供給するアンテナをさらに備える、請求項１または２に記載の装置。
【請求項１５】
ユーザ機器（ＵＥ）と通信するためのインタフェースと、
処理回路と、を備える、進化型ＮｏｄｅＢ（ｅＮＢ）の装置であって、
前記処理回路は、前記ｅＮＢによってサービングされる複数のセルの各セルのために、
送受信機が、前記セルのサブフレーム内で、複数のプライマリ同期信号（ｘＰＳＳ）送信並びに前記ｘＰＳＳ送信後に、セカンダリ同期信号（ｘＳＳＳ）送信および同期チャネル（ｘＳ‐ＳＣＨ）送信のうちの１つを送信するように構成し、各ｘＰＳＳ送信は、全方向性ｘＰＳＳ送信およびビームフォーミングされるｘＰＳＳ送信のうちの１つを有しており、
前記送受信機が、前記ｘＰＳＳ送信の送信後に、前記ＵＥと通信するように構成する、装置。
【請求項１６】
前記処理回路は、さらに、
前記送受信機が、前記サブフレーム内で、複数の全方向性同期信号（ｘＳＳ）送信およびビームフォーミングされるｘＳＳ送信を送信するように構成し、
各全方向性ｘＳＳ送信は、
同一のｘＰＳＳ送信並びにｘＳＳＳ送信およびｘＳ‐ＳＣＨ送信のうちの異なるもの、および
異なるｘＰＳＳ送信並びにｘＳＳＳ送信およびｘＳ‐ＳＣＨ送信のうちの同一のもの、
のうちの１つを有し、
ビームフォーミングされる信号の各々は、
同一のｘＰＳＳ送信並びにｘＳＳＳ送信およびｘＳ‐ＳＣＨ送信のうちの異なるもの、および
異なるｘＰＳＳ送信並びにｘＳＳＳ送信およびｘＳ‐ＳＣＨ送信のうちの異なるものであって、ここにおいて、異なるｘＰＳＳコードのうちの１つおよびシーケンスが、異なるビームフォーミングインデックスを表わす、もの、
のうちの１つを有する、請求項１５に記載の装置。
【請求項１７】
前記処理回路は、さらに、
少なくとも部分的な物理セル情報を、前記ｘＳＳＳ送信および前記ｘＳ‐ＳＣＨ送信のうちの前記１つのために用いられるシーケンスに埋め込む、請求項１５または１６に記載の装置。
【請求項１８】
前記処理回路は、さらに、
前記ｘＰＳＳ送信並びにセカンダリ同期信号（ｘＳＳＳ）送信および同期チャネル（ｘＳ‐ＳＣＨ）送信のうちの少なくとも１つを、周波数分割多重（ＦＤＭ）、時分割多重（ＴＤＭ）および符号分割多重（ＣＤＭ）のうちの１つを用いて多重化する、請求項１５または１６に記載の装置。
【請求項１９】
同期チャネル（ｘＳ‐ＳＣＨ）送信は、物理セル識別情報、ビームフォーミングインデックス、時間インデックス関数、システム帯域幅、システムフレーム番号、ＴＤＤ構成情報、システム情報ブロック（ＳＩＢ１）のスケジューリング情報のための情報を含み、
前記処理回路は、さらに、
前記ｘＳ‐ＳＣＨ送信のペイロードの後に、８、１６および２４ビットのうちの１つを有する巡回冗長検査（ＣＲＣ）を付加し、
前記ｘＳ‐ＳＣＨ送信のチャネルコーディングにおいて、テールバイティング畳み込み符号（ＴＢＣＣ）およびターボ符号（ＴＣ）のうちの１つを使用し、
前記チャネルコーディング後に、レートマッチングを実行して、前記ｘＳ‐ＳＣＨに割り当てられる利用可能なリソースエレメントを埋め、
前記チャネルコーディングおよびレートマッチングの実行後に、前記ｘＳ‐ＳＣＨ送信をスクランブリングし、
前記ｘＰＳＳ送信で搬送される物理セルＩＤの関数に基づいて、スクランブリングシーケンスを初期化する、請求項１５または１６に記載の装置。
【請求項２０】
前記処理回路は、さらに、
前記送受信機が、前記セル内のロード状態に基づいて、各セル内の前記ｘＰＳＳ送信並びにセカンダリ同期信号（ｘＳＳＳ）送信および同期チャネル（ｘＳ‐ＳＣＨ）送信のうちの少なくとも１つのためのオン／オフパターンを動的に調整するように構成する、請求項１５または１６に記載の装置。
【請求項２１】
前記処理回路は、さらに、
前記送受信機が、
異なるセル内の前記ｘＰＳＳ送信並びに前記ｘＳＳＳ送信および前記ｘＳ‐ＳＣＨ送信のうちの少なくとも１つが異なっており且つ同時に送信される、完全にロードされた同期信号およびチャネル送信、および
異なるセル内の前記ｘＰＳＳ送信並びに前記ｘＳＳＳ送信および前記ｘＳ‐ＳＣＨ送信のうちの前記少なくとも１つが同一であり且つ非重複時間において送信される、便宜的同期信号およびチャネル送信、
のうちの少なくとも１つを送信するように構成する、請求項１５または１６に記載の装置。
【請求項２２】
各ｘＰＳＳ送信は、最小システム帯域幅より小さい帯域幅と、ｘＰＳＳ送信構造と、を有し、前記ｘＰＳＳ送信構造は、各々がＰＳＳシンボルのＰＳＳサブキャリア間隔のＫ倍のｘＰＳＳサブキャリア間隔と、前記ＰＳＳシンボルをＫで割ったＰＳＳ持続時間のｘＰＳＳ持続時間と、を有する複数（Ｎｒｅｐ）のｘＰＳＳシンボルを有し、ここで、Ｎｒｅｐは１より大きい整数であり、
前記最小システム帯域幅内で、パワースペクトル密度（ＰＳＤ）サブキャリアが、前記ｘＰＳＳ送信のＰＳＤブースティングサラウンドサブキャリアのために使用され、ＺＣシーケンスの要素が、前記ｘＰＳＳ送信の中心に配置される直流サブキャリア上の送信を回避すべく、パンクチャされる、請求項１５または１６に記載の装置。
【請求項２３】
ａ）前記ｘＰＳＳ送信を形成するＺａｄｏｆｆ‐Ｃｈｕ（ＺＣ）シーケンスの長さ（ＮＺＣ）が、前記ｘＰＳＳ送信の占有帯域幅内のサブキャリア合計数（ＮＰＳＳ）より小さく、且つ
前記ｘＰＳＳ送信と前記ＰＳＤサブキャリアとの間に配置されるガードサブキャリアは、前記ＰＳＤサブキャリアと前記ｘＰＳＳ送信との間で未使用のままにされ、巡回拡大を搬送する、および
ｂ）前記ＺＣシーケンスの長さ（ＮＺＣ）が、少なくとも、前記ｘＰＳＳ送信の前記占有帯域幅内のサブキャリア合計数（ＮＰＳＳ）であり、且つ
前記ＺＣシーケンス内の少なくとも１つの要素が、ｘＰＳＳ送信シンボル生成のためにパンクチャされる、
のうちの一方である、請求項２２に記載の装置。
【請求項２４】
進化型ＮｏｄｅＢ（ｅＮＢ）と通信するためのユーザ機器（ＵＥ）の１または複数のプロセッサに、
プライマリ同期信号（ｘＰＳＳ）送信並びにセカンダリ同期信号（ｘＳＳＳ）送信および同期チャネル（ｘＳ‐ＳＣＨ）送信のうちの少なくとも１つを受信する手順と、
物理レイヤセルＩＤを取得し且つ前記ｘＰＳＳ送信並びに前記ｘＳＳＳ送信および前記ｘＳ‐ＳＣＨ送信のうちの前記少なくとも１つを用いて、前記ｅＮＢとの同期を達成する手順と、
前記ｅＮＢとの同期が達成された後、前記ｅＮＢと通信する手順と、を実行させるためのコンピュータプログラムであって、
前記ｘＰＳＳ送信は、各々が、ＰＳＳシンボルのＰＳＳサブキャリア間隔のＫ倍のｘＰＳＳサブキャリア間隔と、前記ＰＳＳシンボルをＫで割ったＰＳＳ持続時間のｘＰＳＳ送信持続時間と、を有する複数（Ｎｒｅｐ）のｘＰＳＳシンボルを有する繰り返される構造を有するｘＰＳＳ構造を有し、ここで、Ｎｒｅｐは１より大きい整数である、コンピュータプログラム。
【請求項２５】
各ｘＰＳＳ送信は、最小システム帯域幅より小さい帯域幅を有し、パワースペクトル密度（ＰＳＤ）サブキャリアが、前記ｘＰＳＳ送信のＰＳＤブースティングサラウンドサブキャリアのために使用され、
Ｚａｄｏｆｆ‐Ｃｈｕ（ＺＣ）シーケンスの要素が、前記ｘＰＳＳ送信の中心に配置される直流サブキャリア上の送信を回避すべく、パンクチャされ、並びに
ａ）前記ｘＰＳＳ送信を形成するＺａｄｏｆｆ‐Ｃｈｕ（ＺＣ）シーケンスの長さ（ＮＺＣ）が、前記ｘＰＳＳ送信の占有帯域幅内のサブキャリア合計数（ＮＰＳＳ）より小さく、且つ
前記ｘＰＳＳ送信と前記ＰＳＤサブキャリアとの間に配置されるガードサブキャリアが、前記ＰＳＤサブキャリアと前記ｘＰＳＳ送信との間で未使用のままにされ、巡回拡大を搬送する、
ｂ）前記ＺＣシーケンスの長さ（ＮＺＣ）が、少なくとも、前記ｘＰＳＳ送信の前記占有帯域幅内の前記サブキャリア合計数（ＮＰＳＳ）であり、且つ
前記ＺＣシーケンス内の少なくとも１つの要素が、ｘＰＳＳ送信シンボル生成のためにパンクチャされる、
のうちの一方である、請求項２４に記載のコンピュータプログラム。
【請求項２６】
請求項２４または２５に記載のコンピュータプログラムを記録したコンピュータ可読記録媒体。
【手続補正２】
【補正対象書類名】明細書
【補正対象項目名】０１４４
【補正方法】変更
【補正の内容】
【０１４４】
本開示の要約は、米国特許法施行規則§１．７２（ｂ）に準拠して記載されている。米国特許規則§１．７２（ｂ）では、要約書に、読み手が迅速に技術開示の内容を特定できることを要求している。要約書は、請求項の範囲またはその意味の解釈または限定に使用されないという理解の下、提出されている。また、上記の詳細な説明においては、本開示を簡素化する目的で、様々な特徴部が単一の実施形態に一緒に集められていることがわかるであろう。この開示方法は、特許請求された実施形態が、各請求項に明示的に記載された特徴部よりも多いものを要求するという意図を反映するように解釈されるべきではない。むしろ、以下の特許請求の範囲が反映するように、発明の主題は、開示された単一の実施形態に係るすべての特徴部より少ないもので成立する。故に、以下の特許請求の範囲がここで詳細な説明に組み込まれ、各請求項は、別個の実施形態として独立している。
（項目１）
進化型ＮｏｄｅＢ（ｅＮＢ）と通信する送受信機と、
処理回路と、を備える、ユーザ機器（ＵＥ）の装置であって、
上記処理回路は、
上記送受信機が、プライマリ同期信号（ｘＰＳＳ）送信並びに上記ｘＰＳＳ送信後に、セカンダリ同期信号（ｘＳＳＳ）送信および同期チャネル（ｘＳ‐ＳＣＨ）送信のうちの１つを受信するように構成し、
物理レイヤセルＩＤを取得し且つ上記ｘＰＳＳ送信を使用して上記ｅＮＢとの同期を達成し、
上記ｅＮＢとの同期の達成後に、上記送受信機が、上記ｅＮＢと通信するように構成し、
上記ｘＰＳＳ送信は、
各々が、ＰＳＳサブキャリア間隔に、ある整数を掛け合わせたｘＰＳＳサブキャリア間隔と、ＰＳＳ持続時間を上記整数で割ったｘＰＳＳ持続時間と、を有する複数（Ｎｒｅｐ）のｘＰＳＳシンボル、および
非ｘＰＳＳシンボルによって分離されるｘＰＳＳシンボルのセットを有するインタリーブされた周波数分割多重接続（ＩＦＤＭＡ）構造、のうちの１つを有する、装置。
（項目２）
上記ｘＰＳＳ送信は、
各々が、ＰＳＳシンボルのＰＳＳサブキャリア間隔のＫ倍のｘＰＳＳサブキャリア間隔と、上記ＰＳＳシンボルをＫで割ったＰＳＳ持続時間のｘＰＳＳ持続時間と、を有する複数（Ｎｒｅｐ）のｘＰＳＳシンボルであって、Ｎｒｅｐは１より大きい整数である、複数（Ｎｒｅｐ）のｘＰＳＳシンボル、および
時間ドメインにおいて、繰り返されるｘＰＳＳ送信シンボルを生成するＩＦＤＭＡ構造であって、上記ｘＰＳＳ送信シンボルは、周波数ドメインにおいてＫ個のサブキャリアおきにマッピングされ、残りのサブキャリアはゼロに設定され、Ｋ＝２Ｎ且つＮは１より大きい整数である、ＩＦＤＭＡ構造、
のうちの１つを有する、項目１に記載の装置。
（項目３）
上記ｘＰＳＳ送信は、最小システム帯域幅より小さい帯域幅を有し、
上記ｘＰＳＳ送信を形成するＺａｄｏｆｆ‐Ｃｈｕ（ＺＣ）シーケンスの巡回拡大が、上記ｘＰＳＳ送信の一端に配置され、
上記ＺＣシーケンスの要素が、上記ｘＰＳＳ送信の中心に配置される直流サブキャリア上の送信を回避すべく、パンクチャされる、項目１に記載の装置。
（項目４）
上記ｘＰＳＳ送信は、最小システム帯域幅より小さい帯域幅を有し、
上記最小システム帯域幅内で、パワースペクトル密度（ＰＳＤ）サブキャリアが、上記ｘＰＳＳ送信のＰＳＤブースティングサラウンドサブキャリアのために使用され、
上記ｘＰＳＳ送信を形成するＺａｄｏｆｆ‐Ｃｈｕ（ＺＣ）シーケンスの長さ（ＮＺＣ）が、上記ｘＰＳＳ送信の占有帯域幅内のサブキャリア合計数（ＮＰＳＳ）より小さく、
上記ｘＰＳＳ送信と上記ＰＳＤサブキャリアとの間に配置されるガードサブキャリアは、上記ＰＳＤサブキャリアと上記ｘＰＳＳ送信との間で未使用のままにされる、項目１または２に記載の装置。
（項目５）
上記ｘＰＳＳ送信は、最小システム帯域幅より小さい帯域幅を有し、
上記最小システム帯域幅内で、パワースペクトル密度（ＰＳＤ）サブキャリアが、上記ｘＰＳＳ送信のＰＳＤブースティングサラウンドサブキャリアのために使用され、
上記ｘＰＳＳ送信を形成するＺａｄｏｆｆ‐Ｃｈｕ（ＺＣ）シーケンスの巡回拡大が、上記ｘＰＳＳ送信の一端に配置され、
上記ＺＣシーケンスの長さ（ＮＺＣ）が、上記ｘＰＳＳ送信の占有帯域幅内のサブキャリア合計数（ＮＰＳＳ）より小さく、
上記ｘＰＳＳ送信と上記ＰＳＤサブキャリアとの間に配置されるガードサブキャリアは、上記ＰＳＤサブキャリアと上記ｘＰＳＳ送信との間で未使用のままにされる、項目１または２に記載の装置。
（項目６）
上記ｘＰＳＳ送信は、最小システム帯域幅より小さい帯域幅を有し、
上記最小システム帯域幅内で、パワースペクトル密度（ＰＳＤ）サブキャリアが、上記ｘＰＳＳ送信のＰＳＤブースティングサラウンドサブキャリアのために使用され、
Ｚａｄｏｆｆ‐Ｃｈｕ（ＺＣ）シーケンスの長さ（ＮＺＣ）が、少なくとも、上記ｘＰＳＳ送信の占有帯域幅内のサブキャリア合計数（ＮＰＳＳ）であり、
上記ＺＣシーケンスの少なくとも１つの要素が、ｘＰＳＳ送信シンボル生成のためにパンクチャされ、
上記ＺＣシーケンスの要素が、上記ｘＰＳＳ送信の中心に配置される直流サブキャリア上の送信を回避すべく、パンクチャされる、項目１または２に記載の装置。
（項目７）
上記ｘＰＳＳ送信は、最小システム帯域幅より小さい帯域幅を有する、
サイクリックプレフィックス（ＣＰ）が、上記ｘＰＳＳシンボルのうちの第１のシンボルに配置され、上記ｘＰＳＳ送信内の残りのｘＰＳＳ送信シンボルは、上記ＣＰを含んでおらず、上記ＣＰの長さは、上記ｘＰＳＳ持続時間、上記ｘＰＳＳ送信の全持続時間並びに拡張ＣＰおよび標準ＣＰのどちらが使用されるかに基づく、
ＣＰが、上記ｘＰＳＳシンボルの各々に配置され、上記ＣＰの長さは、上記ｘＰＳＳ持続時間、上記ｘＰＳＳ送信の全持続時間並びに拡張ＣＰおよび標準ＣＰのどちらが使用されるかに基づく
のうちの１つである、項目１または２に記載の装置。
（項目８）
上記処理回路は、さらに、
上記送受信機が、ＵＥ固有の専用無線リソース制御（ＲＲＣ）シグナリングを介して、プライマリセル（Ｐｃｅｌｌ）から、上記ｘＰＳＳ送信に関する情報を受信するように構成し、
上記情報は、上記ｘＰＳＳ送信が、ビームフォーミングされるｘＰＳＳ送信または繰り返されるｘＰＳＳ送信の１つであるかどうかの指標、パワースペクトル密度（ＰＳＤ）ブースティングが上記ｘＰＳＳ送信に使用されているかどうかの指標、サイクリックプレフィックス（ＣＰ）が上記ｘＰＳＳ送信に使用されるかどうかの指標、および上記ＣＰのタイプ、並びに上記ｘＰＳＳ送信の周期性、アグリゲーションレベル（Ｋ）および繰り返しレベル、のうちの少なくとも１つを含む、項目１または２に記載の装置。
（項目９）
上記処理回路は、さらに、
上記送受信機が、複数のｘＰＳＳ送信並びに上記ｘＰＳＳ送信の後、ｘＳＳＳ送信およびｘＳ‐ＳＣＨ送信のうちの１つを連続的に受信するように構成する、項目１または２に記載の装置。
（項目１０）
上記処理回路は、さらに、
上記送受信機が、複数の連続的な同期インスタンスを受信するように構成し、
各同期インスタンスは、ｘＰＳＳ送信およびセカンダリ同期信号（ｘＳＳＳ）送信を有し、同期チャネル（ｘＳ‐ＳＣＨ）送信を有していない、項目１または２に記載の装置。
（項目１１）
同期インスタンスは、
全方向性信号、および
ビームフォーミングされる信号、のうちの１つを有し、
上記全方向性信号の各々は、
同一のｘＰＳＳ送信並びにｘＳＳＳ送信およびｘＳ‐ＳＣＨ送信のうちの異なるもの、および
異なるｘＰＳＳ送信並びにｘＳＳＳ送信およびｘＳ‐ＳＣＨ送信のうちの同一のもの、
のうちの１つを含み、
上記ビームフォーミングされる信号の各々は、
同一のｘＰＳＳ送信並びにｘＳＳＳ送信およびｘＳ‐ＳＣＨ送信のうちの異なるもの、
異なるｘＰＳＳ送信並びにｘＳＳＳ送信およびｘＳ‐ＳＣＨ送信のうちの異なるもの、
のうちの１つを含む、項目９に記載の装置。
（項目１２）
少なくとも部分的な物理セル情報が、上記ｘＳＳＳ送信および上記ｘＳ‐ＳＣＨ送信のうちの上記１つのために用いられるシーケンスに埋め込まれ、
上記処理回路は、さらに、上記シーケンスを正確に判断することによって、上記少なくとも部分的な物理セル情報を抽出する、項目１または２に記載の装置。
（項目１３）
上記ｘＰＳＳ送信並びにセカンダリ同期信号（ｘＳＳＳ）送信および同期チャネル（ｘＳ‐ＳＣＨ）送信のうちの少なくとも上記１つは、周波数分割多重（ＦＤＭ）方式、時分割多重（ＴＤＭ）方式および符号分割多重（ＣＤＭ）方式のうちの１つで多重化される、項目１または２に記載の装置。
（項目１４）
上記送受信機と上記ｅＮＢとの間の通信を供給するアンテナをさらに備える、項目１または２に記載の装置。
（項目１５）
ユーザ機器（ＵＥ）と通信するためのインタフェースと、
処理回路と、を備える、進化型ＮｏｄｅＢ（ｅＮＢ）の装置であって、
上記処理回路は、上記ｅＮＢによってサービングされる複数のセルの各セルのために、
送受信機が、上記セルのサブフレーム内で、複数のプライマリ同期信号（ｘＰＳＳ）送信並びに上記ｘＰＳＳ送信後に、セカンダリ同期信号（ｘＳＳＳ）送信および同期チャネル（ｘＳ‐ＳＣＨ）送信のうちの１つを送信するように構成し、各ｘＰＳＳ送信は、全方向性ｘＰＳＳ送信およびビームフォーミングされるｘＰＳＳ送信のうちの１つを有しており、
上記送受信機が、上記ｘＰＳＳ送信の送信後に、上記ＵＥと通信するように構成する、装置。
（項目１６）
上記処理回路は、さらに、
上記送受信機が、上記サブフレーム内で、複数の全方向性同期信号（ｘＳＳ）送信およびビームフォーミングされるｘＳＳ送信を送信するように構成し、
各全方向性ｘＳＳ送信は、
同一のｘＰＳＳ送信並びにｘＳＳＳ送信およびｘＳ‐ＳＣＨ送信のうちの異なるもの、および
異なるｘＰＳＳ送信並びにｘＳＳＳ送信およびｘＳ‐ＳＣＨ送信のうちの同一のもの、
のうちの１つを有し、
ビームフォーミングされる信号の各々は、
同一のｘＰＳＳ送信並びにｘＳＳＳ送信およびｘＳ‐ＳＣＨ送信のうちの異なるもの、および
異なるｘＰＳＳ送信並びにｘＳＳＳ送信およびｘＳ‐ＳＣＨ送信のうちの異なるものであって、ここにおいて、異なるｘＰＳＳコードのうちの１つおよびシーケンスが、異なるビームフォーミングインデックスを表わす、もの、
のうちの１つを有する、項目１５に記載の装置。
（項目１７）
上記処理回路は、さらに、
少なくとも部分的な物理セル情報を、上記ｘＳＳＳ送信および上記ｘＳ‐ＳＣＨ送信のうちの上記１つのために用いられるシーケンスに埋め込む、項目１５または１６に記載の装置。
（項目１８）
上記処理回路は、さらに、
上記ｘＰＳＳ送信並びにセカンダリ同期信号（ｘＳＳＳ）送信および同期チャネル（ｘＳ‐ＳＣＨ）送信のうちの少なくとも１つを、周波数分割多重（ＦＤＭ）、時分割多重（ＴＤＭ）および符号分割多重（ＣＤＭ）のうちの１つを用いて多重化する、項目１５または１６に記載の装置。
（項目１９）
同期チャネル（ｘＳ‐ＳＣＨ）送信は、物理セル識別情報、ビームフォーミングインデックス、時間インデックス関数、システム帯域幅、システムフレーム番号、ＴＤＤ構成情報、システム情報ブロック（ＳＩＢ１）のスケジューリング情報のための情報を含み、
上記処理回路は、さらに、
上記ｘＳ‐ＳＣＨ送信のペイロードの後に、８、１６および２４ビットのうちの１つを有する巡回冗長検査（ＣＲＣ）を付加し、
上記ｘＳ‐ＳＣＨ送信のチャネルコーディングにおいて、テールバイティング畳み込み符号（ＴＢＣＣ）およびターボ符号（ＴＣ）のうちの１つを使用し、
上記チャネルコーディング後に、レートマッチングを実行して、上記ｘＳ‐ＳＣＨに割り当てられる利用可能なリソースエレメントを埋め、
上記チャネルコーディングおよびレートマッチングの実行後に、上記ｘＳ‐ＳＣＨ送信をスクランブリングし、
上記ｘＰＳＳ送信で搬送される物理セルＩＤの関数に基づいて、スクランブリングシーケンスを初期化する、項目１５または１６に記載の装置。
（項目２０）
上記処理回路は、さらに、
上記送受信機が、上記セル内のロード状態に基づいて、各セル内の上記ｘＰＳＳ送信並びにセカンダリ同期信号（ｘＳＳＳ）送信および同期チャネル（ｘＳ‐ＳＣＨ）送信のうちの少なくとも１つのためのオン／オフパターンを動的に調整するように構成する、項目１５または１６に記載の装置。
（項目２１）
上記処理回路は、さらに、
上記送受信機が、
異なるセル内の上記ｘＰＳＳ送信並びに上記ｘＳＳＳ送信および上記ｘＳ‐ＳＣＨ送信のうちの少なくとも１つが異なっており且つ同時に送信される、完全にロードされた同期信号およびチャネル送信、および
異なるセル内の上記ｘＰＳＳ送信並びに上記ｘＳＳＳ送信および上記ｘＳ‐ＳＣＨ送信のうちの上記少なくとも１つが同一であり且つ非重複時間において送信される、便宜的同期信号およびチャネル送信、
のうちの少なくとも１つを送信するように構成する、項目１５または１６に記載の装置。
（項目２２）
各ｘＰＳＳ送信は、最小システム帯域幅より小さい帯域幅と、ｘＰＳＳ送信構造と、を有し、上記ｘＰＳＳ送信構造は、各々がＰＳＳシンボルのＰＳＳサブキャリア間隔のＫ倍のｘＰＳＳサブキャリア間隔と、上記ＰＳＳシンボルをＫで割ったＰＳＳ持続時間のｘＰＳＳ持続時間と、を有する複数（Ｎｒｅｐ）のｘＰＳＳシンボルを有し、ここで、Ｎｒｅｐは１より大きい整数であり、
上記最小システム帯域幅内で、パワースペクトル密度（ＰＳＤ）サブキャリアが、上記ｘＰＳＳ送信のＰＳＤブースティングサラウンドサブキャリアのために使用され、ＺＣシーケンスの要素が、上記ｘＰＳＳ送信の中心に配置される直流サブキャリア上の送信を回避すべく、パンクチャされる、項目１５または１６に記載の装置。
（項目２３）
ａ）上記ｘＰＳＳ送信を形成するＺａｄｏｆｆ‐Ｃｈｕ（ＺＣ）シーケンスの長さ（ＮＺＣ）が、上記ｘＰＳＳ送信の占有帯域幅内のサブキャリア合計数（ＮＰＳＳ）より小さく、且つ
上記ｘＰＳＳ送信と上記ＰＳＤサブキャリアとの間に配置されるガードサブキャリアは、上記ＰＳＤサブキャリアと上記ｘＰＳＳ送信との間で未使用のままにされ、巡回拡大を搬送する、および
ｂ）上記ＺＣシーケンスの長さ（ＮＺＣ）が、少なくとも、上記ｘＰＳＳ送信の上記占有帯域幅内のサブキャリア合計数（ＮＰＳＳ）であり、且つ
上記ＺＣシーケンス内の少なくとも１つの要素が、ｘＰＳＳ送信シンボル生成のためにパンクチャされる、
のうちの一方である、項目２２に記載の装置。
（項目２４）
進化型ＮｏｄｅＢ（ｅＮＢ）と通信するためのユーザ機器（ＵＥ）の１または複数のプロセッサによって実行される命令を格納するコンピュータ可読記録媒体であって、
上記１または複数のプロセッサは、上記ＵＥが、
プライマリ同期信号（ｘＰＳＳ）送信並びにセカンダリ同期信号（ｘＳＳＳ）送信および同期チャネル（ｘＳ‐ＳＣＨ）送信のうちの少なくとも１つを受信し、
物理レイヤセルＩＤを取得し且つ上記ｘＰＳＳ送信並びに上記ｘＳＳＳ送信および上記ｘＳ‐ＳＣＨ送信のうちの上記少なくとも１つを用いて、上記ｅＮＢとの同期を達成し、
上記ｅＮＢとの同期が達成された後、上記ｅＮＢと通信する、
ように構成し、
上記ｘＰＳＳ送信は、各々が、ＰＳＳシンボルのＰＳＳサブキャリア間隔のＫ倍のｘＰＳＳサブキャリア間隔と、上記ＰＳＳシンボルをＫで割ったＰＳＳ持続時間のｘＰＳＳ送信持続時間と、を有する複数（Ｎｒｅｐ）のｘＰＳＳシンボルを有する繰り返される構造を有するｘＰＳＳ構造を有し、ここで、Ｎｒｅｐは１より大きい整数である、コンピュータ可読記録媒体。
（項目２５）
各ｘＰＳＳ送信は、最小システム帯域幅より小さい帯域幅を有し、パワースペクトル密度（ＰＳＤ）サブキャリアが、上記ｘＰＳＳ送信のＰＳＤブースティングサラウンドサブキャリアのために使用され、
Ｚａｄｏｆｆ‐Ｃｈｕ（ＺＣ）シーケンスの要素が、上記ｘＰＳＳ送信の中心に配置される直流サブキャリア上の送信を回避すべく、パンクチャされ、並びに
ａ）上記ｘＰＳＳ送信を形成するＺａｄｏｆｆ‐Ｃｈｕ（ＺＣ）シーケンスの長さ（ＮＺＣ）が、上記ｘＰＳＳ送信の占有帯域幅内のサブキャリア合計数（ＮＰＳＳ）より小さく、且つ
上記ｘＰＳＳ送信と上記ＰＳＤサブキャリアとの間に配置されるガードサブキャリアが、上記ＰＳＤサブキャリアと上記ｘＰＳＳ送信との間で未使用のままにされ、巡回拡大を搬送する、
ｂ）上記ＺＣシーケンスの長さ（ＮＺＣ）が、少なくとも、上記ｘＰＳＳ送信の上記占有帯域幅内の上記サブキャリア合計数（ＮＰＳＳ）であり、且つ
上記ＺＣシーケンス内の少なくとも１つの要素が、ｘＰＳＳ送信シンボル生成のためにパンクチャされる、
のうちの一方である、項目２４に記載のコンピュータ可読記録媒体。
【国際調査報告】
2018520528.tif 000029
2018520528.tif 000030
2018520528.tif 000031
2018520528.tif 000032
2018520528.tif 000033
2018520528.tif 000034
2018520528.tif 000035